【事件の表示】
　特許第２８７６０６７号「カメラ」の特許に対する特許異議の申立てについて、次のとおり決定する。
【結　論】
　訂正を認める。
　特許第２８７６０６７号の請求項１、２、６に係る特許を維持する。
【理　由】
（１）手続きの経緯      
　本件特許第２８７６０６７号発明は、平成１年１月３０日に出願され、平成１１年１月２２日にその発明の特許がなされ、その後、石川　知寿及び細野　篤良より特許異議の申立てがなされ、取消理由通知がなされ、その指定期間内である平成１２年２月１５日に訂正請求がなされ、訂正拒絶理由通知がなされ、これに対して、意見書が提出されたものである。
（２）訂正の適否についての判断
ア．訂正の内容
ａ、明細書の特許請求の範囲第１項に係る発明を
「１.撮影レンズを光軸方向に移動させるレンズ移動手段と、前記レンズ移動手段の作動によりパルスを出力するパルス出力手段と、前記撮影レンズの移動に連動して移動するよう設けられた接片と、前記接片が摺動可能な位置に設けられ、前記撮影レンズの光軸方向位置によって異なる複数の接点パターンを備えたカメラ本体側制御基板と、前記撮影レンズの移動中であって、前記接片が前記複数の接点パターンのうち所定の基準位置を示す接点パターンに達した時に、前記撮影レンズのポジション信号を出力する手段であって、前記パルス出力手段とは異なる位置に設けられ、前記パルス出力手段とは異なる手段であるレンズ位置検出手段と、前記ポジション信号検知後に、前記パルス出力手段から出力される所定のパルス数をカウントして、前記レンズ位置検出手段による前記ポジション信号の出力の際に移動中である前記撮影レンズの移動を停止させる制御手段とを有することを特徴とするカメラ。」と訂正する。
ｂ、明細書の特許請求の範囲第３項に係る発明を
「３.撮影レンズを光軸方向に移動させるレンズ移動手段と、前記レンズ移動手段の作動によりパルスを出力するパルス出力手段と、前記撮影レンズの移動に連動して移動するよう設けられた接片と、前記接片が摺動可能な位置に設けられ、前記撮影レンズの光軸方向位置によって異なる複数の接点パターンを備えたカメラ本体側制御基板と、前記撮影レンズの移動中であって、前記接片が前記複数の接点パターンのうち所定の基準位置を示す接点パターンに達した時に、前記撮影レンズのポジション信号を出力するレンズ位置検出手段と、前記ポジション信号検知後に、前記パルス出力手段から出力される所定のパルス数をカウントして前記撮影レンズの移動を停止させる制御手段とを有するカメラであって、前記カメラ本体側制御基板はカメラ本体側にネジ止めされていて、光軸方向に位置調整可能であることを特徴とするカメラ。」と訂正する。
ｃ、明細書の特許請求の範囲第４項に係る発明を
「４.撮影レンズを光軸方向に移動させるレンズ移動手段と、前記レンズ移動手段の作動によりパルスを出力するパルス出力手段と、前記撮影レンズの移動に連動して移動するよう設けられた接片と、前記接片が摺動可能な位置に設けられ、前記撮影レンズの光軸方向位置によって異なる複数の接点パターンを備えたカメラ本体側制御基板と、前記撮影レンズの移動中であって、前記接片が前記複数の接点パターンのうち所定の基準位置を示す接点パターンに達した時に、前記撮影レンズのポジション信号を出力するレンズ位置検出手段と、前記ポジション信号検知後に、前記パルス出力手段から出力される所定のパルス数をカウントして前記撮影レンズの移動を停止させる制御手段とを有するカメラであって、前記接点パターンは沈胴用接点パターンと撮影用接点パターンとを有し、前記沈胴用接点パターンは沈胴用の前記基準位置を示す接点パターンのみからなり、前記撮影用接点パターンは初期位置を示す接点パターンと撮影用の前記基準位置を示す接点パターンとからなることを特徴とするカメラ。」と訂正する。
ｄ、明細書の特許請求の範囲第６項に係る発明を
「６.携帯形態状態では鏡胴を本体に沈胴させ、撮影状態では前記鏡胴を繰出領域に移動させて撮影を行うカメラにおいて、前記携帯状態と前記撮影状態とを切り換えるメインスイッチと、撮影動作を行わせるレリーズスイッチと、前記鏡胴の光軸方向位置を変更させる切換手段と、前記鏡胴を光軸方向に移動させる鏡胴移動手段と、前記鏡胴移動手段の作動によりパルスを出力するパルス出力手段と、前記鏡胴に取り付けられ、前記鏡胴とともに移動する接片と、前記接片が摺動可能な位置に設けられ、前記鏡胴の光軸方向位置によって異なる複数の接点パターンを備えたカメラ本体側制御基板と、前記鏡胴の光軸方向への移動中であって、前記接片が前記複数の接点パターンのうち所定の基準位置を示す接点パターンに達した時に、前記鏡胴のポジション信号を出力する手段であって、前記パルス出力手段とは異なる位置に設けられ、前記パルス出力手段とは異なる手段である鏡胴位置検出手段と、前記ポジション信号検知後に、前記パルス出力手段から出力される所定のパルス数をカウントして、前記鏡胴位置検出手段による前記ポジション信号の出力の際に移動中である前記鏡胴の移動を停止させる制御手段とを有することを特徴とするカメラ。」と訂正する。
ｅ、発明の名称を、「カメラの光学系制御装置」から「カメラ」に訂正する。
ｆ、平成１０年８月８日付け全文訂正明細書第３頁第７行ないし第５頁第１４行（特許掲載公報第４欄第５行ないし第５欄第４６行）の「請求項１記載の発明は、・・・である。」を「請求項１記載の発明は、『撮影レンズを光軸方向に移動させるレンズ移動手段と、前記レンズ移動手段の作動によりパルスを出力するパルス出力手段と、前記撮影レンズの移動に連動して移動するよう設けられた接片と、前記接片が摺動可能な位置に設けられ、前記撮影レンズの光軸方向位置によって異なる複数の接点パターンを備えたカメラ本体側制御基板と、前記撮影レンズの移動中であって、前記接片が前記複数の接点パターンのうち所定の基準位置を示す接点パターンに達した時に、前記撮影レンズのポジション信号を出力する手段であって、前記パルス出力手段とは異なる位置に設けられ、前記パルス出力手段とは異なる手段であるレンズ位置検出手段と、前記ポジション信号検知後に、前記パルス出力手段から出力される所定のパルス数をカウントして、前記レンズ位置検出手段による前記ポジション信号の出力の際に移動中である前記撮影レンズの移動を停止させる制御手段とを有することを特徴とするカメラ。』である。この請求項１記載の発明によれば、撮影レンズの移動中であって、接片が複数の接点パターンのうち所定の基準位置を示す接点パターンに達した時に、撮影レンズのポジション信号を出力し、このポジション信号検知後に、所定のパルス数をカウントして撮影レンズの移動を停止させ、撮影レンズの位置情報を得るため、移動中の撮影レンズが基準位置に達したときに、ポジション信号を出力して、基準位置到達後の所定パルス数をカウントして移動を停止させ、基準位置を定め、この位置からパルスをカウントするから所定の位置に正確に停止させることができ合焦精度が向上する。また、停止位置の決定は接点パターンによるポジション信号と撮影レンズ移動により発生するパルスのカウントによって行なわれるため、パターンの位置を変更することで、簡単に撮影レンズの基準位置を変更することができる。請求項２記載の発明は、『前記レンズ移動手段はモータを有し、このモータの回転に応じて、前記パルス出力手段からパルスを発生させ、前記制御手段が前記ポジション信号検知後所定のパルス数をカウントして前記モータを高速逆転させ、ついでブレーキをかけて電源を遮断し、前記撮影レンズの移動を停止させることを特徴とする請求項１記載のカメラ。』である。この請求項２記載の発明によれば、制御手段ではモータを有する移動手段のモータの回転で撮影レンズを移動し、このモータの回転で出力されるパルスを、位置検出手段からのポジション信号検知後所定数をカウントし、移動手段のモータを高速逆転させ、ついでブレーキをかけ電源を遮断して停止させるため、オーバラン等が生じないで正確に所定位置に停止することができる。請求項３記載の発明は、『撮影レンズを光軸方向に移動させるレンズ移動手段と、前記レンズ移動手段の作動によりパルスを出力するパルス出力手段と、前記撮影レンズの移動に連動して移動するよう設けられた接片と、前記接片が摺動可能な位置に設けられ、前記撮影レンズの光軸方向位置によって異なる複数の接点パターンを備えたカメラ本体側制御基板と、前記撮影レンズの移動中であって、前記接片が前記複数の接点パターンのうち所定の基準位置を示す接点パターンに達した時に、前記撮影レンズのポジション信号を出力するレンズ位置検出手段と、前記ポジション信号検知後に、前記パルス出力手段から出力される所定のパルス数をカウントして前記撮影レンズの移動を停止させる制御手段とを有するカメラであって、前記カメラ本体側制御基板はカメラ本体側にネジ止めされていて、光軸方向に位置調整可能であることを特徴とするカメラ。』である。この請求項３記載の発明によれば、カメラ本体側制御基板を光軸方向に位置調整してパターンの位置を変更することで、簡単に撮影レンズの基準位置を変更することができる。請求項４記載の発明は、『撮影レンズを光軸方向に移動させるレンズ移動手段と、前記レンズ移動手段の作動によりパルスを出力するパルス出力手段と、前記撮影レンズの移動に連動して移動するよう設けられた接片と、前記接片が摺動可能な位置に設けられ、前記撮影レンズの光軸方向位置によって異なる複数の接点パターンを備えたカメラ本体側制御基板と、前記撮影レンズの移動中であって、前記接片が前記複数の接点パターンのうち所定の基準位置を示す接点パターンに達した時に、前記撮影レンズのポジション信号を出力するレンズ位置検出手段と、前記ポジション信号検知後に、前記パルス出力手段から出力される所定のパルス数をカウントして前記撮影レンズの移動を停止させる制御手段とを有するカメラであって、前記接点パターンは沈胴用接点パターンと撮影用接点パターンとを有し、前記沈胴用接点パターンは沈胴用の前記基準位置を示す接点パターンのみからなり、前記撮影用接点パターンは初期位置を示す接点パターンと撮影用の前記基準位置を示す接点パターンとからなることを特徴とするカメラ。』である。この請求項４記載の発明によれば、沈胴用接点パターンは沈胴用の基準位置を示す接点パターンのみからなり、撮影用接点パターンは初期位置を示す接点パターンと撮影用の基準位置を示す接点パターンとからなり、撮影レンズに設けられた接片が接点パターン上を摺動し、撮影レンズの位置制御を高精度で行うことができる。請求項５記載の発明は、『前記カメラ本体側制御基板は、複数の撮影用接点パターンを有することを特徴とする請求項４記載のカメラ。』である。この請求項５記載の発明によれば、撮影モード毎に異なった接点パターンを有するカメラ本体制御基板を備え、撮影レンズに設けられた接片がこの接点パターン上を摺動し、作動開始後の基準位置からのパルスをカウントして撮影レンズの位置制御を高精度で行うことができる。請求項６記載の発明は、『携帯形態状態では鏡胴を本体に沈胴させ、撮影状態では前記鏡胴を繰出領域に移動させて撮影を行うカメラにおいて、前記携帯状態と前記撮影状態とを切り換えるメインスイッチと、撮影動作を行わせるレリーズスイッチと、前記鏡胴の光軸方向位置を変更させる切換手段と、前記鏡胴を光軸方向に移動させる鏡胴移動手段と、前記鏡胴移動手段の作動によりパルスを出力するパルス出力手段と、前記鏡胴に取り付けられ、前記鏡胴とともに移動する接片と、前記接片が摺動可能な位置に設けられ、前記鏡胴の光軸方向位置によって異なる複数の接点パターンを備えたカメラ本体側制御基板と、前記鏡胴の光軸方向への移動中であって、前記接片が前記複数の接点パターンのうち所定の基準位置を示す接点パターンに達した時に、前記鏡胴のポジション信号を出力する手段であって、前記パルス出力手段とは異なる位置に設けられ、前記パルス出力手段とは異なる手段である鏡胴位置検出手段と、前記ポジション信号検知後に、前記パルス出力手段から出力される所定のパルス数をカウントして、前記鏡胴位置検出手段による前記ポジション信号の出力の際に移動中である前記鏡胴の移動を停止させる制御手段とを有することを特徴とするカメラ。』である。」と訂正する。
ウ.訂正の目的の適否及び拡張・変更の存否等
　上記訂正ａ、〜ｄ、は、特許請求の範囲の減縮に該当し、願書に添付した明細書又は図面に記載された事項の範囲内のものであり、実質的に特許請求の範囲を拡張又は変更するものではなく、新規事項の追加もない。また、上記訂正ｅ、ｆは、特許請求の範囲の訂正に対応して、発明の名称及び発明の詳細な説明の記載を訂正したものであるから、不明瞭な記載の釈明に該当し、願書に添付した明細書又は図面に記載された事項の範囲内のものであり、新規事項の追加もない。
エ．独立特許要件の判断
　そこで、上記訂正に係る請求項１、３、４、６の発明が本件出願の際独立して特許を受けることができるかどうか検討する。
〈引用例について〉
　当審が平成１１年１２月２日付け取消理由通知において引用した刊行物１（特開昭６０−７９３１４号公報、以下「引用例１」という。）には、主レンズ１を光軸方向に移動させるモーター１１、駆動バー９、鏡胴地板３等と、前記モーター１１、駆動バー９、鏡胴地板３等の作動によりパルスを出力するパルス板１５と、前記主レンズ１の移動に連動して移動するよう設けられた接片２０、２１と、前記接片２０、２１が摺動可能な位置に設けられ、前記主レンズ１の光軸方向位置によって異なる複数の接点パターンを備えたパターン基板２３と、前記主レンズ１の移動中であって、前記接片２０、２１が前記複数の接点パターンのうち所定の基準位置を示す接点パターンに達した時に、前記主レンズ１のポジション信号を出力する手段であって、前記パルス出力手段とは異なる位置に設けられ、前記パルス出力手段とは異なる手段であるレンズ位置検出手段と、前記ポジション信号検知後に停止し、レリーズ操作がなされると、モーター１１が駆動し、前記パルス出力手段から出力される所定のパルス数をカウントして、前記主レンズ１の移動を停止させるＡＦ制御回路５１とを有するカメラ、が記載されている。
　同じく引用した刊行物２（特開昭６０−７８４３５号公報、以下「引用例２」という。）には、「またロックモード時、撮影側からロック側に撮影レンズをカメラ本体側に繰込むと共にレンズバリアを閉じる等してカメラをロック状態にし、ロック状態を解除する時にはこれの逆作動を行ない、」（第２頁左上欄第１３〜１７行）、「２１は可動鏡筒１４の位置が望遠撮影モードの位置（繰出し位置）か標準撮影モードの位置（繰込み位置）かのいずれかの位置かを検出し、可動鏡筒１４を選択された撮影モードに応じて繰出しもしくは繰込み位置に至る迄モータ１５に通電を行なうための第２のスイッチである。この第２のスイッチ２１は後述のように可動鏡筒１４側に固設された３つ又の切片２１１と鏡筒２側に設けられたプリント基板上の銅箔等からなるスイッチ用パターン群とから構成され、この切片２１１がスイッチ用パターン群上を摺動することにより第２のスイッチ２１の開閉が行なわれる。」（第３頁右下欄第５〜１６行）及び「このロックモードから標準撮影モードへの第１のスイッチ２０の切替えは後述のようにモータ１５に通電を行なわない状態であり、」（第５頁左上欄第３〜５行）、との記載がある。
　同じく引用した刊行物３（特開昭６１−２８２８１０号公報、以下「引用例３」という。）には、「点線ｂに示すように逆転電流が駆動モータ２３に供給され、駆動モータ２３は慣性に抗したブレーキ動作を行なう。・・・、駆動モータ２３は電流が供給されず停止する。」（第４頁左下欄第６行〜右下欄第２行）
との記載がある。
　同じく引用した刊行物４（特開昭６０−５９３１４号公報、以下「引用例４」という。）には、「このカウント動作を具体的に述べれば次の通りである。まず、各ステップ（例えば１００パターン）が変化したとき、演算制御回路１３は、その回転が反時計回りなら（即ち次のステップが１１０パターンなら）計数値を“０”に初期値化し、時計回りなら（即ち次のステップが０００パターンなら）計数値を“１６”に初期値化する。そして、刷子５が反時計回り方向に回り続け、高分解能２値化信号のオン・オフが入力されるならば、計数値を前記オン・オフ毎に１ずつ増し、逆に時計回り方向に回り続けるならば１６から１ずつ減じる。」（第３頁右下欄第４〜１５行）、との記載がある。
　同じく引用した刊行物５（特公昭６１−５５０９９号公報、以下「引用例５」という。）には、「補助パルス発生器３５（第２Ａ図参照）は、固定源３６（第４図参照）と固定光電池３７を備えていることが好ましく、固定光源としては発光ダイオードであつてよい。光源３６と光電池３７はスロット付き円板２９を挟んで互に対向する状態に置かれ、光源から光電池に入射する光が円板２９の回転によって周期的にしや断されるようになつている。」（第６欄第２６〜３４行）との記載がある。
　同じく引用した刊行物６（特開昭６３−２８６８３２号公報、以下「引用例５」という。）には、「次いで、ステップＳ９で領域Ｂ５を検出し、ステップＳ９が肯定されるとステップＳ１０でモータ５５を逆転させる。すなわち逆通電ブレーキをかける。・・・ステップＳ１４ではモータ５５の両端子を短絡させていわゆるショートブレーキをかける。・・・ステップＳ１８で領域Ｂ５を検出し、ステップＳ１９で領域Ｃ１を検出するとステップＳ２０でモータ５５へのパルス通電を断ちモータ５５を停止せしめる。」（第４頁右下欄第８行〜第５頁左上欄第７行）との記載がある。
〈対比・判断について〉
〔請求項１に係る発明に対して〕
　請求項１に係る発明と刊行物１記載の発明とを対比すると、請求項１に係る発明の「撮影レンズ」、「レンズ移動手段」、「パルス出力手段」、「接片」、「制御基板」、「制御手段」は、夫々刊行物１記載の発明の「主レンズ１」、「モーター１１、駆動バー９、鏡胴地板３等」、「パルス板１５」、「接片２０、２１」、「パターン基板２３」、「ＡＦ制御回路５１」に相当するから、両者は、撮影レンズを光軸方向に移動させるレンズ移動手段と、前記レンズ移動手段の作動によりパルスを出力するパルス出力手段と、前記撮影レンズの移動に連動して移動するよう設けられた接片と、前記接片が摺動可能な位置に設けられ、前記撮影レンズの光軸方向位置によって異なる複数の接点パターンを備えた制御基板と、前記撮影レンズの移動中であって、前記接片が前記複数の接点パターンのうち所定の基準位置を示す接点パターンに達した時に、前記撮影レンズのポジション信号を出力する手段であって、前記パルス出力手段とは異なる位置に設けられ、前記パルス出力手段とは異なる手段であるレンズ位置検出手段とを有するカメラ、で一致し、
Ａ制御基板が、請求項１に係る発明は、カメラ本体側であるのに対して、刊行物１記載の発明は、そのような記載が無い点、
Ｂ請求項１に係る発明は、前記ポジション信号検知後に、前記パルス出力手段から出力される所定のパルス数をカウントして、前記レンズ位置検出手段による前記ポジション信号の出力の際に移動中である前記撮影レンズの移動を停止させる制御手段を有するのに対して、刊行物１記載の発明は、前記ポジション信号検知後に停止し、レリーズ操作がなされると、モーター１１が駆動し、前記パルス出力手段から出力される所定のパルス数をカウントして、前記主レンズ１の移動を停止させるＡＦ制御回路５１を有している点で相違する。
　そこで、先ず相違点Ａについて検討すると、刊行物２の「鏡筒２側に設けられたプリント基板上の銅箔等からなるスイッチ用パターン群」との記載からみて、鏡筒２は、可動鏡筒１４に相対し、カメラ本体側と解せるから、刊行物２には、相違点Ａの構成が記載されている。
　そして、刊行物１及び刊行物２は、いずれもカメラに関するから、刊行物２に記載の事項を刊行物１に適用することは、当業者にとって容易であると認められる。
　次に、相違点Ｂについて検討すると、刊行物２〜６のいずれにも、記載されていない。
してみると、上記引用例１〜６には本件請求項１に係る発明の構成の一部である上記相違点Ｂが記載されていない。
　本件請求項１に係る発明は、このＢの構成を有することによって、明細書記載の作用効果を奏するものであるから、訂正後の本件請求項１に係る発明が、上記引用例１〜６のいずれかであるとも、また、上記引用例１〜６に基づいて当業者が容易に推考できたものとも言えない。
〔請求項３に係る発明に対して〕
　請求項３に係る発明と刊行物１記載の発明とを対比すると、請求項１に係る発明の「撮影レンズ」、「レンズ移動手段」、「パルス出力手段」、「接片」、「制御基板」、「制御手段」は、夫々刊行物１記載の発明の「主レンズ１」、「モーター１１、駆動バー９、鏡胴地板３等」、「パルス板１５」、「接片２０、２１」、「パターン基板２３」、「ＡＦ制御回路５１」に相当するから、両者は、撮影レンズを光軸方向に移動させるレンズ移動手段と、前記レンズ移動手段の作動によりパルスを出力するパルス出力手段と、前記撮影レンズの移動に連動して移動するよう設けられた接片と、前記接片が摺動可能な位置に設けられ、前記撮影レンズの光軸方向位置によって異なる複数の接点パターンを備えた制御基板と、前記撮影レンズの移動中であって、前記接片が前記複数の接点パターンのうち所定の基準位置を示す接点パターンに達した時に、前記撮影レンズのポジション信号を出力するレンズ位置検出手段とを有するカメラ、で一致し、
Ａ制御基板が、請求項３に係る発明は、カメラ本体側であるのに対して、刊行物１記載の発明は、そのような記載が無い点、
Ｂ’請求項３に係る発明は、前記ポジション信号検知後に、前記パルス出力手段から出力される所定のパルス数をカウントして前記撮影レンズの移動を停止させる制御手段を有するのに対して、刊行物１記載の発明は、前記ポジション信号検知後に停止し、レリーズ操作がなされると、モーター１１が駆動し、前記パルス出力手段から出力される所定のパルス数をカウントして、前記主レンズ１の移動を停止させるＡＦ制御回路５１を有している点、
Ｃ請求項３に係る発明は、カメラ本体側制御基板がカメラ本体側にネジ止めされていて、光軸方向に位置調整可能であるのに対して、刊行物１記載の発明は、そのような記載が無い点で相違する。
　そこで、先ず相違点Ａについて検討すると、刊行物２の「鏡筒２側に設けられたプリント基板上の銅箔等からなるスイッチ用パターン群」との記載からみて、鏡筒２は、可動鏡筒１４に相対し、カメラ本体側と解せるから、刊行物２には、相違点Ａの構成が記載されている。
　そして、刊行物１及び刊行物２は、いずれもカメラに関するから、刊行物２に記載の事項を刊行物１に適用することは、当業者にとって容易であると認められる。
　次に、相違点Ｂ’について検討すると、刊行物２〜６のいずれにも、記載されていない。
  最後に、相違点Ｃについて検討すると、刊行物２〜６のいずれにも、記載されていない。
してみると、上記引用例１〜６には本件請求項３に係る発明の構成の一部である上記相違点Ｂ’及びＣが記載されていない。
　本件請求項３に係る発明は、このＢ’及びＣの構成を有することによって、明細書記載の作用効果を奏するものであるから、訂正後の本件請求項３に係る発明が、上記引用例１〜６のいずれかであるとも、また、上記引用例１〜６に基づいて当業者が容易に推考できたものとも言えない。
〔請求項４に係る発明に対して〕
　請求項４に係る発明と刊行物１記載の発明とを対比すると、請求項１に係る発明の「撮影レンズ」、「レンズ移動手段」、「パルス出力手段」、「接片」、「制御基板」、「制御手段」は、夫々刊行物１記載の発明の「主レンズ１」、「モーター１１、駆動バー９、鏡胴地板３等」、「パルス板１５」、「接片２０、２１」、「パターン基板２３」、「ＡＦ制御回路５１」に相当するから、両者は、撮影レンズを光軸方向に移動させるレンズ移動手段と、前記レンズ移動手段の作動によりパルスを出力するパルス出力手段と、前記撮影レンズの移動に連動して移動するよう設けられた接片と、前記接片が摺動可能な位置に設けられ、前記撮影レンズの光軸方向位置によって異なる複数の接点パターンを備えた制御基板と、前記撮影レンズの移動中であって、前記接片が前記複数の接点パターンのうち所定の基準位置を示す接点パターンに達した時に、前記撮影レンズのポジション信号を出力するレンズ位置検出手段とを有するカメラ、で一致し、
Ａ制御基板が、請求項４に係る発明は、カメラ本体側であるのに対して、刊行物１記載の発明は、そのような記載が無い点、
Ｂ’請求項４に係る発明は、前記ポジション信号検知後に、前記パルス出力手段から出力される所定のパルス数をカウントして前記撮影レンズの移動を停止させる制御手段を有するのに対して、刊行物１記載の発明は、前記ポジション信号検知後に停止し、レリーズ操作がなされると、モーター１１が駆動し、前記パルス出力手段から出力される所定のパルス数をカウントして、前記主レンズ１の移動を停止させるＡＦ制御回路５１を有している点、
Ｅ請求項４に係る発明は、前記接点パターンは沈胴用接点パターンと撮影用接点パターンとを有し、前記沈胴用接点パターンは沈胴用の前記基準位置を示す接点パターンのみからなり、前記撮影用接点パターンは初期位置を示す接点パターンと撮影用の前記基準位置を示す接点パターンとからなるのに対して、刊行物１記載の発明は、そのような記載が無い点で相違する。
　そこで、先ず相違点Ａについて検討すると、刊行物２の「鏡筒２側に設けられたプリント基板上の銅箔等からなるスイッチ用パターン群」との記載からみて、鏡筒２は、可動鏡筒１４に相対し、カメラ本体側と解せるから、刊行物２には、相違点Ａの構成が記載されている。
　そして、刊行物１及び刊行物２は、いずれもカメラに関するから、刊行物２に記載の事項を刊行物１に適用することは、当業者にとって容易であると認められる。
　次に、相違点Ｂ’について検討すると、刊行物２〜６のいずれにも、記載されていない。
  最後に、相違点Ｅについて検討すると、刊行物２〜６のいずれにも、記載されていない。
してみると、上記引用例１〜６には本件請求項４に係る発明の構成の一部である上記相違点Ｂ’及びＥが記載されていない。
　本件請求項４に係る発明は、このＢ’及びＥの構成を有することによって、明細書記載の作用効果を奏するものであるから、訂正後の本件請求項４に係る発明が、上記引用例１〜６のいずれかであるとも、また、上記引用例１〜６に基づいて当業者が容易に推考できたものとも言えない。
〔請求項６に係る発明に対して〕
　請求項６に係る発明と刊行物１記載の発明とを対比すると、請求項６に係る発明の「鏡胴」、「鏡胴移動手段」、「パルス出力手段」、「接片」、「制御基板」、「制御手段」は、夫々刊行物１記載の発明の「鏡胴地板３」、「モーター１１、駆動バー９、鏡胴地板３等」、「パルス板１５」、「接片２０、２１」、「パターン基板２３」、「ＡＦ制御回路５１」に相当するから、両者は、撮影を行わせるレリーズスイッチと、前記鏡胴の光軸方向位置を変更させる切換手段と、前記鏡胴を光軸方向に移動させる鏡胴移動手段と、前記鏡胴移動手段の作動によりパルスを出力するパルス出力手段と、前記鏡胴に取り付けられ、前記鏡胴とともに移動する接片と、前記接片が摺動可能な位置に設けられ、前記鏡胴の光軸方向位置によって異なる複数の接点パターンを備えた制御基板と、前記鏡胴の光軸方向への移動中であって、前記接片が前記複数の接点パターンのうち所定の基準位置を示す接点パターンに達した時に、前記鏡胴のポジション信号を出力する手段であって、前記パルス出力手段とは異なる位置に設けられ、前記パルス出力手段とは異なる手段である鏡胴位置検出手段とを有するカメラ、で一致し、
Ａ制御基板が、請求項６に係る発明は、カメラ本体側であるのに対して、刊行物１記載の発明は、そのような記載が無い点、
Ｂ”請求項６に係る発明は、前記ポジション信号検知後に、前記パルス出力手段から出力される所定のパルス数をカウントして、前記鏡胴位置検出手段による前記ポジション信号の出力の際に移動中である前記鏡胴の移動を停止させる制御手段を有するのに対して、刊行物１記載の発明は、前記ポジション信号検知後に停止し、レリーズ操作がなされると、モーター１１が駆動し、前記パルス出力手段から出力される所定のパルス数をカウントして、前記主レンズ１の移動を停止させるＡＦ制御回路５１を有している点、
Ｄ請求項６に係る発明は、携帯形態状態では鏡胴を本体に沈胴させ、撮影状態では前記鏡胴を繰出領域に移動させて撮影を行うカメラにおいて、前記携帯状態と前記撮影状態とを切り換えるメインスイッチとを有するのに対して、刊行物１記載の発明は、そのような記載が無い点、で相違する。
　そこで、先ず相違点Ａについて検討すると、刊行物２の「鏡筒２側に設けられたプリント基板上の銅箔等からなるスイッチ用パターン群」との記載からみて、鏡筒２は、可動鏡筒１４に対応し、カメラ本体側と解せるから、刊行物２には、相違点Ａの構成が記載されている。
　そして、刊行物１及び刊行物２は、いずれもカメラに関するから、刊行物２に記載の事項を刊行物１に適用することは、当業者にとって容易であると認められる。
　次に、相違点Ｂ”について検討すると、刊行物２〜６のいずれにも、記載されていない。
  最後に、相違点Ｄについて検討すると、刊行物２〜６のいずれにも、記載されていない。
してみると、上記引用例１〜６には本件請求項６に係る発明の構成の一部である上記相違点Ｂ”及びＤが記載されていない。
　本件請求項６に係る発明は、このＢ”及びＤの構成を有することによって、明細書記載の作用効果を奏するものであるから、訂正後の本件請求項６に係る発明が、上記引用例１〜６のいずれかであるとも、また、上記引用例１〜６に基づいて当業者が容易に推考できたものとも言えない。
オ．むすび
　以上のとおりであるから、上記訂正請求は、特許法第１２０条の４第２項及び第３項で準用する第１２６条第２−４項の規定に適合するので、当該訂正を認める。
（３）特許異議の申立てについての判断
ア．申立ての理由の概要
　申立人石川　知寿は、証拠として甲第１号証（特開昭６０−７９３１４号公報、上記引用例１）、甲第２号証（特開昭６０−７８４３５号公報、上記引用例２）、甲第３号証（特開昭６１−２８２８１０号公報、上記引用例３）を提出し、訂正前請求項１、２及び６に係る発明は、特許法第２９条第２項の規定に違反してなされたものであるから、特許を取り消すべき旨主張している。
  また、申立人細野　篤良は、証拠として甲第１号証（特開昭６０−５９３１４号公報、上記引用例４）、甲第２号証（特公昭６１−５５０９９号公報、上記引用例５）、甲第３号証（特開昭６３−２８６８３２号公報、上記引用例６）を提出し、訂正前請求項１、２及び６に係る発明は、特許法第２９条第２項の規定に違反してなされたものであるから、特許を取り消すべき旨主張している。
イ．判断
〔本件請求項１、６に係る発明〕
  申立人石川　知寿及び細野　篤良の主張については、上記（２）エ．で示したとおりである。
〔本件請求項２に係る発明〕
  本件請求項２に係る発明は、夫々本件請求項１に係る発明の構成の一部をさらに限定したものであるから、本件請求項１に係る発明と同様の判断である。
ウ．むすび
　以上のとおりであるから、特許異議申立の理由及び証拠によっては、本件請求項１、２、６に係る発明の特許を取り消すことはできない。
　また、他に本件請求項１、２、６に係る発明の特許を取り消すべき理由を発見しない。
　よって、結論のとおり決定する。
【異議決定日】
平成１２年７月２５日（２０００．７．２５）
【訂正の要旨】
　　　訂正の要旨
特許請求の範囲の減縮を目的として、下記（１）〜（４）のように特許請求の範囲を訂正する。また、特許請求の範囲の訂正に応じて、発明の名称及び詳細な説明についても、適合性を持たせるために下記（５）、（６）のように訂正する。
（１）特許請求の範囲第１項を次のとおり訂正する。
「１．撮影レンズを光軸方向に移動させるレンズ移動手段と、前記レンズ移動手段の作動によりパルスを出力するパルス出力手段と、前記撮影レンズの移動に連動して移動するよう設けられた接片と、前記接片が摺動可能な位置に設けられ、前記撮影レンズの光軸方向位置によって異なる複数の接点パターンを備えたカメラ本体側制御基板と、前記撮影レンズの移動中であって、前記接片が前記複数の接点パターンのうち所定の基準位置を示す接点パターンに達した時に、前記撮影レンズのポジション信号を出力する手段であって、前記パルス出力手段とは異なる位置に設けられ、前記パルス出力手段とは異なる手段であるレンズ位置検出手段と、前記ポジション信号検知後に、前記パルス出力手段から出力される所定のパルス数をカウントして、前記レンズ位置検出手段による前記ポジション信号の出力の際に移動中である前記撮影レンズの移動を停止させる制御手段とを有することを特徴とするカメラ。」
（２）特許請求の範囲第３項を次のとおり訂正する。
「３．撮影レンズを光軸方向に移動させるレンズ移動手段と、前記レンズ移動手段の作動によりパルスを出力するパルス出力手段と、前記撮影レンズの移動に連動して移動するよう設けられた接片と、前記接片が摺動可能な位置に設けられ、前記撮影レンズの光軸方向位置によって異なる複数の接点パターンを備えたカメラ本体側制御基板と、前記撮影レンズの移動中であって、前記接片が前記複数の接点パターンのうち所定の基準位置を示す接点パターンに達した時に、前記撮影レンズのポジション信号を出力するレンズ位置検出手段と、前記ポジション信号検知後に、前記パルス出力手段から出力される所定のパルス数をカウントして前記撮影レンズの移動を停止させる制御手段とを有するカメラであって、前記カメラ本体側制御基板はカメラ本体側にネジ止めされていて、光軸方向に位置調整可能であることを特徴とするカメラ。」
（３）特許請求の範囲第４項を次のとおり訂正する。
「４．撮影レンズを光軸方向に移動させるレンズ移動手段と、前記レンズ移動手段の作動によりパルスを出力するパルス出力手段と、前記撮影レンズの移動に連動して移動するよう設けられた接片と、前記接片が摺動可能な位置に設けられ、前記撮影レンズの光軸方向位置によって異なる複数の接点パターンを備えたカメラ本体側制御基板と、前記撮影レンズの移動中であって、前記接片が前記複数の接点パターンのうち所定の基準位置を示す接点パターンに達した時に、前記撮影レンズのポジション信号を出力するレンズ位置検出手段と、前記ポジション信号検知後に、前記パルス出力手段から出力される所定のパルス数をカウントして前記撮影レンズの移動を停止させる制御手段とを有するカメラであって、前記接点パターンは沈胴用接点パターンと撮影用接点パターンとを有し、前記沈胴用接点パターンは沈胴用の前記基準位置を示す接点パターンのみからなり、前記撮影用接点パターンは初期位置を示す接点パターンと撮影用の前記基準位置を示す接点パターンとからなることを特徴とするカメラ。」
（４）特許請求の範囲第６項を次のとおり訂正する。
「６．携帯形態状態では鏡胴を本体に沈胴させ、撮影状態では前記鏡胴を繰出領域に移動させて撮影を行うカメラにおいて、前記携帯状態と前記撮影状態とを切り換えるメインスイッチと、撮影動作を行わせるレリーズスイッチと、前記鏡胴の光軸方向位置を変更させる切換手段と、前記鏡胴を光軸方向に移動させる鏡胴移動手段と、前記鏡胴移動手段の作動によりパルスを出力するパルス出力手段と、前記鏡胴に取り付けられ、前記鏡胴とともに移動する接片と、前記接片が摺動可能な位置に設けられ、前記鏡胴の光軸方向位置によって異なる複数の接点パターンを備えたカメラ本体側制御基板と、前記鏡胴の光軸方向への移動中であって、前記接片が前記複数の接点パターンのうち所定の基準位置を示す接点パターンに達した時に、前記鏡胴のポジション信号を出力する手段であって、前記パルス出力手段とは異なる位置に設けられ、前記パルス出力手段とは異なる手段である鏡胴位置検出手段と、前記ポジション信号検知後に、前記パルス出力手段から出力される所定のパルス数をカウントして、前記鏡胴位置検出手段による前記ポジション信号の出力の際に移動中である前記鏡胴の移動を停止させる制御手段とを有することを特徴とするカメラ。」
（５）発明の名称を、「カメラの光学系制御装置」から「カメラ」に訂正する。
（６）平成１０年８月８日付け全文訂正明細書第３頁第７行ないし第５頁第１４行（特許掲載公報第４欄第５行ないし第５欄第４６行）の「請求項１記載の発明は、・・・である。」を「請求項１記載の発明は、『撮影レンズを光軸方向に移動させるレンズ移動手段と、前記レンズ移動手段の作動によりパルスを出力するパルス出力手段と、前記撮影レンズの移動に連動して移動するよう設けられた接片と、前記接片が摺動可能な位置に設けられ、前記撮影レンズの光軸方向位置によって異なる複数の接点パターンを備えたカメラ本体側制御基板と、前記撮影レンズの移動中であって、前記接片が前記複数の接点パターンのうち所定の基準位置を示す接点パターンに達した時に、前記撮影レンズのポジション信号を出力する手段であって、前記パルス出力手段とは異なる位置に設けられ、前記パルス出力手段とは異なる手段であるレンズ位置検出手段と、前記ポジション信号検知後に、前記パルス出力手段から出力される所定のパルス数をカウントして、前記レンズ位置検出手段による前記ポジション信号の出力の際に移動中である前記撮影レンズの移動を停止させる制御手段とを有することを特徴とするカメラ。』である。この請求項１記載の発明によれば、撮影レンズの移動中であって、接片が複数の接点パターンのうち所定の基準位置を示す接点パターンに達した時に、撮影レンズのポジション信号を出力し、このポジション信号検知後に、所定のパルス数をカウントして撮影レンズの移動を停止させ、撮影レンズの位置情報を得るため、移動中の撮影レンズが基準位置に達したときに、ポジション信号を出力して、基準位置到達後の所定パルス数をカウントして移動を停止させ、基準位置を定め、この位置からパルスをカウントするから所定の位置に正確に停止させることができ合焦精度が向上する。また、停止位置の決定は接点パターンによるポジション信号と撮影レンズ移動により発生するパルスのカウントによって行なわれるため、パターンの位置を変更することで、簡単に撮影レンズの基準位置を変更することができる。請求項２記載の発明は、『前記レンズ移動手段はモータを有し、このモータの回転に応じて、前記パルス出力手段からパルスを発生させ、前記制御手段が前記ポジション信号検知後所定のパルス数をカウントして前記モータを高速逆転させ、ついでブレーキをかけて電源を遮断し、前記撮影レンズの移動を停止させることを特徴とする請求項１記載のカメラ。』である。この請求項２記載の発明によれば、制御手段ではモータを有する移動手段のモータの回転で撮影レンズを移動し、このモータの回転で出力されるパルスを、位置検出手段からのポジション信号検知後所定数をカウントし、移動手段のモータを高速逆転させ、ついでブレーキをかけ電源を遮断して停止させるため、オーバラン等が生じないで正確に所定位置に停止することができる。請求項３記載の発明は、『撮影レンズを光軸方向に移動させるレンズ移動手段と、前記レンズ移動手段の作動によりパルスを出力するパルス出力手段と、前記撮影レンズの移動に連動して移動するよう設けられた接片と、前記接片が摺動可能な位置に設けられ、前記撮影レンズの光軸方向位置によって異なる複数の接点パターンを備えたカメラ本体側制御基板と、前記撮影レンズの移動中であって、前記接片が前記複数の接点パターンのうち所定の基準位置を示す接点パターンに達した時に、前記撮影レンズのポジション信号を出力するレンズ位置検出手段と、前記ポジション信号検知後に、前記パルス出力手段から出力される所定のパルス数をカウントして前記撮影レンズの移動を停止させる制御手段とを有するカメラであって、前記カメラ本体側制御基板はカメラ本体側にネジ止めされていて、光軸方向に位置調整可能であることを特徴とするカメラ。』である。この請求項３記載の発明によれば、カメラ本体側制御基板を光軸方向に位置調整してパターンの位置を変更することで、簡単に撮影レンズの基準位置を変更することができる。請求項４記載の発明は、『撮影レンズを光軸方向に移動させるレンズ移動手段と、前記レンズ移動手段の作動によりパルスを出力するパルス出力手段と、前記撮影レンズの移動に連動して移動するよう設けられた接片と、前記接片が摺動可能な位置に設けられ、前記撮影レンズの光軸方向位置によって異なる複数の接点パターンを備えたカメラ本体側制御基板と、前記撮影レンズの移動中であって、前記接片が前記複数の接点パターンのうち所定の基準位置を示す接点パターンに達した時に、前記撮影レンズのポジション信号を出力するレンズ位置検出手段と、前記ポジション信号検知後に、前記パルス出力手段から出力される所定のパルス数をカウントして前記撮影レンズの移動を停止させる制御手段とを有するカメラであって、前記接点パターンは沈胴用接点パターンと撮影用接点パターンとを有し、前記沈胴用接点パターンは沈胴用の前記基準位置を示す接点パターンのみからなり、前記撮影用接点パターンは初期位置を示す接点パターンと撮影用の前記基準位置を示す接点パターンとからなることを特徴とするカメラ。』である。この請求項４記載の発明によれば、沈胴用接点パターンは沈胴用の基準位置を示す接点パターンのみからなり、撮影用接点パターンは初期位置を示す接点パターンと撮影用の基準位置を示す接点パターンとからなり、撮影レンズに設けられた接片が接点パターン上を摺動し、撮影レンズの位置制御を高精度で行うことができる。請求項５記載の発明は、『前記カメラ本体側制御基板は、複数の撮影用接点パターンを有することを特徴とする請求項４記載のカメラ。』である。この請求項５記載の発明によれば、撮影モード毎に異なった接点パターンを有するカメラ本体制御基板を備え、撮影レンズに設けられた接片がこの接点パターン上を摺動し、作動開始後の基準位置からのパルスをカウントして撮影レンズの位置制御を高精度で行うことができる。請求項６記載の発明は、『携帯形態状態では鏡胴を本体に沈胴させ、撮影状態では前記鏡胴を繰出領域に移動させて撮影を行うカメラにおいて、前記携帯状態と前記撮影状態とを切り換えるメインスイッチと、撮影動作を行わせるレリーズスイッチと、前記鏡胴の光軸方向位置を変更させる切換手段と、前記鏡胴を光軸方向に移動させる鏡胴移動手段と、前記鏡胴移動手段の作動によりパルスを出力するパルス出力手段と、前記鏡胴に取り付けられ、前記鏡胴とともに移動する接片と、前記接片が摺動可能な位置に設けられ、前記鏡胴の光軸方向位置によって異なる複数の接点パターンを備えたカメラ本体側制御基板と、前記鏡胴の光軸方向への移動中であって、前記接片が前記複数の接点パターンのうち所定の基準位置を示す接点パターンに達した時に、前記鏡胴のポジション信号を出力する手段であって、前記パルス出力手段とは異なる位置に設けられ、前記パルス出力手段とは異なる手段である鏡胴位置検出手段と、前記ポジション信号検知後に、前記パルス出力手段から出力される所定のパルス数をカウントして、前記鏡胴位置検出手段による前記ポジション信号の出力の際に移動中である前記鏡胴の移動を停止させる制御手段とを有することを特徴とするカメラ。』である。」と訂正する。
（５４）【発明の名称】
カメラ
（５７）【特許請求の範囲】
　１．撮影レンズを光軸方向に移動させるレンズ移動手段と、前記レンズ移動手段の作動によりパルスを出力するパルス出力手段と、前記撮影レンズの移動に連動して移動するよう設けられた接片と、前記接片が摺動可能な位置に設けられ、前記撮影レンズの光軸方向位置によって異なる複数の接点パターンを備えたカメラ本体側制御基板と、前記撮影レンズの移動中であって、前記接片が前記複数の接点パターンのうち所定の基準位置を示す接点パターンに達した時に、前記撮影レンズのポジション信号を出力する
手段であって、前記パルス出力手段とは異なる位置に設けられ、前記パルス出力手段とは異なる手段である
、前記レンズ位置検出手段による前記ポジション信号の出力の際に移動中である
　２．前記レンズ移動手段はモータを有し、このモータの回転に応じて、前記パルス出力手段からパルスを発生させ、前記制御手段が前記ポジション信号検知後所定のパルス数をカウントして前記モータを高速逆転させ、ついでブレーキをかけて電源を遮断し、前記撮影レンズの移動を停止させることを特徴とする請求項１記載のカメラ。
　３．
撮影レンズを光軸方向に移動させるレンズ移動手段と、前記レンズ移動手段の作動によりパルスを出力するパルス出力手段と、前記撮影レンズの移動に連動して移動するよう設けられた接片と、前記接片が摺動可能な位置に設けられ、前記撮影レンズの光軸方向位置によって異なる複数の接点パターンを備えたカメラ本体側制御基板と、前記撮影レンズの移動中であって、前記接片が前記複数の接点パターンのうち所定の基準位置を示す接点パターンに達した時に、前記撮影レンズのポジション信号を出力するレンズ位置検出手段と、前記ポジション信号検知後に、前記パルス出力手段から出力される所定のパルス数をカウントして前記撮影レンズの移動を停止させる制御手段とを有するカメラであって、
カメラ
　４．
撮影レンズを光軸方向に移動させるレンズ移動手段と、前記レンズ移動手段の作動によりパルスを出力するパルス出力手段と、前記撮影レンズの移動に連動して移動するよう設けられた接片と、前記接片が摺動可能な位置に設けられ、前記撮影レンズの光軸方向位置によって異なる複数の接点パターンを備えたカメラ本体側制御基板と、前記撮影レンズの移動中であって、前記接片が前記複数の接点パターンのうち所定の基準位置を示す接点パターンに達した時に、前記撮影レンズのポジション信号を出力するレンズ位置検出手段と、前記ポジション信号検知後に、前記パルス出力手段から出力される所定のパルス数をカウントして前記撮影レンズの移動を停止させる制御手段とを有するカメラであって、
カメラ
　５．前記カメラ本体側制御基板は、複数の撮影用接点パターンを有することを特徴とする請求項４記載のカメラ。
　６．携帯形態状態では鏡胴を本体に沈胴させ、撮影状態では前記鏡胴を繰出領域に移動させて撮影を行うカメラにおいて、前記携帯状態と前記撮影状態とを切り換えるメインスイッチと、撮影動作を行わせるレリーズスイッチと、前記鏡胴の光軸方向位置を変更させる切換手段と、前記鏡胴を光軸方向に移動させる鏡胴移動手段と、前記鏡胴移動手段の作動によりパルスを出力するパルス出力手段と、前記鏡胴に取り付けられ、前記鏡胴とともに移動する接片と、前記接片が摺動可能な位置に設けられ、前記鏡胴の光軸方向位置によって異なる複数の接点パターンを備えたカメラ本体側制御基板と、前記鏡胴の光軸方向への移動中であって、前記接片が前記複数の接点パターンのうち所定の基準位置を示す接点パターンに達した時に、前記鏡胴のポジション信号を出力する
手段であって、前記パルス出力手段とは異なる位置に設けられ、前記パルス出力手段とは異なる手段である
、前記鏡胴位置検出手段による前記ポジション信号の出力の際に移動中である
【発明の詳細な説明】
［発明の属する技術分野］
　この発明は、撮影レンズを所定位置へ停止させるカメラに関する。
［従来の技術］
　カメラには、撮影レンズを初期位置から自動的に合焦位置へ移動させるものがある。
　この撮影レンズの移動はモータ等のレンズ移動手段によって行なわれ、例えば特開昭６２−１３６６２６号公報に開示されるように、撮影レンズをモータによって光軸方向へ移動させ、このモータの回転によって発生するパルスをカウントして、合焦位置に停止させるものがある。
［発明が解決しようとする課題］
　このような自動焦点カメラでは、撮影レンズの初期位置からのパルスをカウントして、所定の合焦位置に停止させており、この初期位置は合焦精度を決める大きな要因となっている。
　ところで、この初期位置は撮影レンズを光軸方向へ移動するときの基準位置となっており、この基準位置が正確でないと、パルス数のカウント起点がずれるため、所定の合焦精度を得ることができない。このため、例えば基準位置をストッパ等の機械的手段で設けると構造が複雑になり、しかも基準位置を簡単に変更することができない等の不具合がある。
　この発明はかかる点に鑑みなされたもので、撮影レンズの位置情報を得、簡単な構造にして上記基準位置の変更を容易にし、さらに撮影レンズを所定位置へ正確に停止させて合焦精度を向上させるカメラを提供することを目的としている。
［課題を解決するための手段］
　前記課題を解決し、かつ目的を達成するために、この発明は、以下のように構成した。
　請求項１記載の発明は、『撮影レンズを光軸方向に移動させるレンズ移動手段と、前記レンズ移動手段の作動によりパルスを出力するパルス出力手段と、前記撮影レンズの移動に連動して移動するよう設けられた接片と、前記接片が摺動可能な位置に設けられ、前記撮影レンズの光軸方向位置によって異なる複数の接点パターンを備えたカメラ本体側制御基板と、前記撮影レンズの移動中であって、前記接片が前記複数の接点パターンのうち所定の基準位置を示す接点パターンに達した時に、前記撮影レンズのポジション信号を出力する
手段であって、前記パルス出力手段とは異なる位置に設けられ、前記パルス出力手段とは異なる手段である
、前記レンズ位置検出手段による前記ポジション信号の出力の際に移動中である
　この請求項１記載の発明によれば、撮影レンズの移動中であって、接片が複数の接点パターンのうち所定の基準位置を示す接点パターンに達した時に、撮影レンズのポジション信号を出力し、このポジション信号検知後に、所定のパルス数をカウントして撮影レンズの移動を停止させ、撮影レンズの位置情報を得るため、移動中の撮影レンズが基準位置に達したときに、ポジション信号を出力して、基準位置到達後の所定パルス数をカウントして移動を停止させ、基準位置を定め、この位置からパルスをカウントするから所定の位置に正確に停止させることができ合焦精度が向上する。また、停止位置の決定は接点パターンによるポジション信号と撮影レンズ移動により発生するパルスのカウントによって行なわれるため、パターンの位置を変更することで、簡単に撮影レンズの基準位置を変更することができる。
　請求項２記載の発明は、『前記レンズ移動手段はモータを有し、このモータの回転に応じて、前記パルス出力手段からパルスを発生させ、前記制御手段が前記ポジション信号検知後所定のパルス数をカウントして前記モータを高速逆転させ、ついでブレーキをかけて電源を遮断し、前記撮影レンズの移動を停止させることを特徴とする請求項１記載のカメラ。』である。
　この請求項２記載の発明によれば、制御手段ではモータを有する移動手段のモータの回転で撮影レンズを移動し、このモータの回転で出力されるパルスを、位置検出手段からのポジション信号検知後所定数をカウントし、移動手段のモータを高速逆転させ、ついでブレーキをかけ電源を遮断して停止させるため、オーバラン等が生じないで正確に所定位置に停止することができる。
　請求項３記載の発明は、『
撮影レンズを光軸方向に移動させるレンズ移動手段と、前記レンズ移動手段の作動によりパルスを出力するパルス出力手段と、前記撮影レンズの移動に連動して移動するよう設けられた接片と、前記接片が摺動可能な位置に設けられ、前記撮影レンズの光軸方向位置によって異なる複数の接点パターンを備えたカメラ本体側制御基板と、前記撮影レンズの移動中であって、前記接片が前記複数の接点パターンのうち所定の基準位置を示す接点パターンに達した時に、前記撮影レンズのポジション信号を出力するレンズ位置検出手段と、前記ポジション信号検知後に、前記パルス出力手段から出力される所定のパルス数をカウントして前記撮影レンズの移動を停止させる制御手段とを有するカメラであって、
カメラ
　この請求項３記載の発明によれば、カメラ本体側制御基板を光軸方向に位置調整してパターンの位置を変更することで、簡単に撮影レンズの基準位置を変更することができる。
　請求項４記載の発明は、『
撮影レンズを光軸方向に移動させるレンズ移動手段と、前記レンズ移動手段の作動によりパルスを出力するパルス出力手段と、前記撮影レンズの移動に連動して移動するよう設けられた接片と、前記接片が摺動可能な位置に設けられ、前記撮影レンズの光軸方向位置によって異なる複数の接点パターンを備えたカメラ本体側制御基板と、前記撮影レンズの移動中であって、前記接片が前記複数の接点パターンのうち所定の基準位置を示す接点パターンに達した時に、前記撮影レンズのポジション信号を出力するレンズ位置検出手段と、前記ポジション信号検知後に、前記パルス出力手段から出力される所定のパルス数をカウントして前記撮影レンズの移動を停止させる制御手段とを有するカメラであって、
カメラ
　この請求項４記載の発明によれば、沈胴用接点パターンは沈胴用の基準位置を示す接点パターンのみからなり、撮影用接点パターンは初期位置を示す接点パターンと撮影用の基準位置を示す接点パターンとからなり、撮影レンズに設けられた接片が接点パターン上を摺動し、撮影レンズの位置制御を高精度で行うことができる。
　請求項５記載の発明は、『前記カメラ本体側制御基板は、複数の撮影用接点パターンを有することを特徴とする請求項４記載のカメラ。』である。
　この請求項５記載の発明によれば、撮影モード毎に異なった接点パターンを有するカメラ本体制御基板を備え、撮影レンズに設けられた接片がこの接点パターン上を摺動し、作動開始後の基準位置からのパルスをカウントして撮影レンズの位置制御を高精度で行うことができる。
　請求項６記載の発明は、『携帯形態状態では鏡胴を本体に沈胴させ、撮影状態では前記鏡胴を繰出領域に移動させて撮影を行うカメラにおいて、前記携帯状態と前記撮影状態とを切り換えるメインスイッチと、撮影動作を行わせるレリーズスイッチと、前記鏡胴の光軸方向位置を変更させる切換手段と、前記鏡胴を光軸方向に移動させる鏡胴移動手段と、前記鏡胴移動手段の作動によりパルスを出力するパルス出力手段と、前記鏡胴に取り付けられ、前記鏡胴とともに移動する接片と、前記接片が摺動可能な位置に設けられ、前記鏡胴の光軸方向位置によって異なる複数の接点パターンを備えたカメラ本体側制御基板と、前記鏡胴の光軸方向への移動中であって、前記接片が前記複数の接点パターンのうち所定の基準位置を示す接点パターンに達した時に、前記鏡胴のポジション信号を出力する
手段であって、前記パルス出力手段とは異なる位置に設けられ、前記パルス出力手段とは異なる手段である
前記鏡胴位置検出手段による前記ポジション信号の出力の際に移動中である
　この請求項６記載の発明によれば、携帯状態では鏡胴を本体に沈胴させ、撮影状態では鏡胴を繰出領域に移動させて撮影を行なうカメラで、鏡胴の光軸方向への移動中であって、接片が複数の接点パターンのうち所定の基準位置を示す接点パターンに達した時に、鏡胴のポジション信号を出力し、ポジション信号検知後に、パルス出力手段から出力される所定のパルス数をカウントして鏡胴の移動を停止させている。このように鏡胴の位置情報を得るため、移動中の鏡胴が基準位置に達したときに、ポジション信号を出力して、基準位置到達後の所定パルス数をカウントして移動を停止させ、基準位置を定め、この位置からパルスをカウントするから所定の位置に正確に停止させることができ合焦精度が向上する。また、停止位置の決定はカメラ本体側制御基板の設けた接点パターンによるポジション信号と撮影レンズ移動により発生するパルスのカウントによって行なわれるため、パターンの位置を変更することで、簡単に撮影レンズの基準位置を変更することができる。
［発明の実施の形態］
　以下、この発明の実施例を添付図面に基づいて詳細に説明する。
　第１図はこの発明のカメラの光学系制御装置の概略構成ブロック図、第２図はレンズ位置検出手段を示す平面図、第３図は撮影レンズの移動を示す作動タイムチャートである。
　このカメラの撮影レンズＡはレンズ移動手段Ｂによって光軸方向へ移動され、自動的に合焦位置に停止するようになっている。このレンズ移動手段Ｂはモータで構成されており、制御手段Ｃからのモータドライバ制御信号ＬＤＬ，ＬＤＲによって制御される。
　制御手段Ｃは測距手段Ｄの測距情報に基づき撮影レンズＡの移動量を演算し、レンズ移動手段Ｂを制御する。このレンズ移動手段Ｂの作動からパルス出力手段Ｅがパルス状のレンズ駆動信号ＡＦＣを出力し、撮影レンズＡの停止位置はレンズ位置検出手段Ｆからのレンズポジション信号ＳＥＰ及びパルス出力手段Ｅからのレンズ駆動信号ＡＦＣによって決定される。
　このレンズ位置検出手段Ｆは第２図に示すように、電気回路基板Ｆ１に電源接点パターンＦ２とスイッチ接点パターンＦ３，Ｆ４，Ｆ５，Ｆ６，Ｆ７が設けられ、それぞれの接点パターンＦ２〜Ｆ７は端子Ｆ８〜Ｆ１３を介して制御手段Ｃと接続されている。この接点パターンＦ２〜Ｆ７上をスイッチ接片Ｆ１４が撮影レンズＡと連動して移動し、撮影レンズＡが光軸方向へ移動され、位置情報を制御手段Ｃに送出する。スイッチ接片Ｆ１４がスイッチ接点パターンＦ３の位置に到達すると、撮影レンズＡは沈胴の停止位置Ｙ１に到達し、スイッチ接点パターンＦ４の位置で通常撮影の初期位置Ｙ２、スイッチ接点パターンＦ５の位置で通常撮影の繰出量カウント基点Ｙ３、スイッチ接点パターンＦ６の位置で近接撮影の初期位置Ｙ４及びスイッチ接点パターンＦ７の位置で近接撮影の繰出量カウント基点Ｙ５に到達する。
　撮影レンズＡを収納して沈胴の停止位置Ｙ１に停止させるには、第３図に示すように、制御手段Ｃはモータドライバ制御信号ＬＤＬ，ＬＤＲをハイにしてブレーキをかけてモータの始動の準備をし、モータドライバ制御信号ＬＤＬをハイ、モータドライバ制御信号ＬＤＲをローにしてモータを高速回転して撮影レンズＡを移動させる。そして、スイッチ接片Ｆ１４がスイッチ接点パターンＦ３の基準位置になると、レンズポジション信号ＳＥＰが出力され、このレンズポジション信号ＳＥＰから所定のＡＦＣパルス数をカウントして、モータドライバ制御信号ＬＤＬをロー、モータドライバ制御信号ＬＤＲをローにしてモータを高速逆転させ、速度を低下させる。そして、さらにモータドライバ制御信号ＬＤＬ，ＬＤＲをハイにしてブレーキをかけて、パワーホールド信号ＰＨＭをローにして電源を遮断して、撮影レンズＡの移動を沈胴の停止位置Ｙ１で停止させる。
　このように、基準位置を定め、この位置から所定パルスをカウントするから、所定の沈胴の停止位置Ｙ１に正確に停止させることができ、この位置を撮影レンズＡの基準位置とすることで合焦精度が向上する。また、この沈胴の停止位置Ｙ１の決定は電気回路基板Ｆ１に設けた接点パターンによって行なわれ、電気回路基板Ｆ１を移動して接点パターンの位置を変更することで、簡単に撮影レンズＡの位置を変更することができる。
　以下、この発明のカメラの光学系制御装置が適用される実施例を、さらに具体的に説明する。
　第４図乃至第９図はこの発明が適用されるカメラを示し、第４図はカメラの正面図、第５図は同背面図、第６図は平面図、第７図は第４図のＶＩＩ−ＶＩＩ断面図、第８図はファインダーの表示を示す図、第９図は裏蓋の表示を示す図である。
　
カメラボディの構成
　カメラは第７図に示すように本体１０、前カバー２０、装飾パネル３０及び裏蓋４０から構成され、前カバー２０の前側に装飾パネル３０が係合され、この前カバー２０が本体１０を覆うように係合しネジ止めされる。裏蓋４０及び電池蓋４１は本体取付体４２の軸受部４２ａにヒンジ軸４３を介して一体に組付けられており、本体取付体４２を本体１０に係合し、さらにネジで固定している。
　本体１０には画枠部１３を挟んで未露光フィルム収納室１４と露光フィルム収納室１５とが形成されており、この未露光フィルム収納室１４にはパトローネ１が収納され、露光されたフィルムＦが露光フィルム収納室１５に設けられたリール１６で巻取られる。
　本体１０の中央部にはフロント地板１７が設けられ、このフロント地板１７に撮影レンズ５０を備えた鏡胴枠２２が鏡胴５１と一体で光軸方向へ移動可能に設けられ、沈胴するようになっている。
　さらに前カバー２０の上面に、レリーズボタン２、クローズアップボタン３及びメインスイッチボタン４が備えられている。
　
撮影レンズ
　撮影レンズ５０は４群４枚で構成され、鏡胴枠２２に支持体５２，５３を介して取付けられ、鏡胴枠２２が鏡胴５１に取付けられている。この撮影レンズ５０はレンズとレンズとの間にシャッター５４が配置されたビトゥインタイプが用いられている。
　
ファインダー機構
　ファインダー機構は、アルバダ式ブライトフレーム透視ファインダーが用いられている。このファインダー６０には第７図に示すような表示が設けられ、撮影範囲フレーム６１，６２、ＡＦフレーム６３があり、さらに測距完了（点灯）及び距離警告（点滅）表示６４、クローズアップモード（点灯）表示６５、ブリッツマーク６６等が設けられている。
　
焦点調節機構
　焦点調節機構は撮影に際し、被写体までの距離に応じて撮影レンズ５０とフィルム面との距離を変え、被写体の像が但しくフィルム面に結ばれるように焦点の調節を行なう。この焦点調節のための測距機構として投光ＡＦレンズ７０、受光ＡＦレンズ７１がフロント地板１７の上部に設けられ、装飾パネル３０のＡＦ窓７２，７３で覆われ、赤外線ノンスキャンアクティブ式自動測距が採用されている。撮影レンズ５０を保持する鏡胴５１をモータ１７０の駆動で繰出し、レンズ群を直進駆動させてピント調節を行なう。鏡胴５１は前側部に撮影窓５５を有しており、この撮影窓５５はレンズバリヤ１４０で覆われて、内部の撮影レンズ５０を保護するようになっている。
　
シャッター機構
　シャッター機構はフィルムに必要な露光量を時間的に与える役割りと、露光時間以外は不必要な光を遮断する機能を兼ねている。シャッターモータ８０が駆動してシャッター５４を開閉するようになっており、このシャッター５４はプログラムシャッターであり、さらに、セルフタイマーが用いられている。
　セルフタイマーは後述するモード切替ボタンＳＳ１を操作して、セルフタイマーモードにし、レリーズボタン２を押圧すると作動し、レリーズボタン２の押圧後約１０秒経過すると、シャッター５４が開閉する。セルフタイマーが作動中にはセルフタイマー表示発光ダイオードＳＬＥＤ２１４が約７秒点灯し、その後約３秒点滅する。シャッター５４の開閉動作が完了するとセルフタイマーモードが自動的に解除され、ストロボ自動発光モードに復帰する。セルフタイマー作動中にセルフタイマーモードを解除したい場合は、メインスイッチボタン４を押圧すればよい。
　
自動露出機構
　フィルムに適正な露光を与えるために、画面におさまる被写体側の光の明暗を測り、露光量を調節するものである。入射してくる光の量に応じて電気信号を変換するため、ＣｄＳ（硫化カドミウム）受光素子９０が用いられている。この受光素子９０はフロント地板１７に取付けられ、装飾パネル３０のＡＥ受光窓９１で覆われている。露出制御の連動範囲はフィルム感度ＩＳＯ１００で、被写体輝度のＥＶ値５〜１７の範囲であり、ＥＶ値９以下はストロボ自動発光に自動的に切換えられる。
　このカメラはＤＸコードが付いたパトローネ入りフィルムが使用され、フィルムをカメラに入れると同時にフィルム感度ＩＳＯ５０〜３２００が自動的にセットされ、非ＤＸフィルムは全て感度ＩＳＯ１００に自動的にセットされる。
　
ストロボ機構
　ストロボ機構の閃光管１００は、本体１０の未露光フイルム室１４の上方に固定されており、装飾パネル３０の窓１０１で覆われている。ストロボ自動発光モードにおいては、被写体輝度が所定値より低い時に自動的に発光し、常に自動充電であり、充電回路のコンデンサ７が本体１０の露光フイルム収納室１５に近接して配置されている。
　
フィルム巻上げ機構
　フィルム巻上げ機構はモータ１１０による自動巻上げ方式が用いられ、巻上げユニット１１１を介して駆動される。裏蓋４０を閉じた後に、レリーズボタン２の作動で開始するオートロード方式である。
　
フィルム巻戻し機構
　フィルム巻戻し機構は最終駒まで撮影されると、自動的に巻戻されて、巻戻しが完了すると自動的に停止する。巻戻しはフィルムカウンタを減算し、かつフィルム給送マークを逆方向へ表示する。
　ＤＸフィルムの場合はフィルム先端をパトローネに巻込み後に巻戻しが自動的に停止し、非ＤＸフィルムの場合はフィルム先端を残して巻戻しが自動的に停止する。
　
裏蓋
　裏蓋４０にはオートデートや撮影情報の制御表示部１２０が裏蓋地板４４を介して設けられ、さらにフィルム確認窓６が形成されている。また、裏蓋４０のＬＣＤ部飾板１３０にはデート表示部１２１、撮影情報表示部１２２が設けられている。さらに、モード切替ボタンＳＳ１とデートモード切替ボタンＳＳ２、年月日、時分の修正箇所を選択する修正箇所選択ボタンＳＳ３、デート表示の加算を行なう加算ボタンＳＳ４が設けられている。
　モード切替ボタンＳＳ１を押圧するごとに自動発光モード、強制発光モード、不発光モード及びセルフタイマーモードがこの順序に循環して切替る。ストロボ自動発光モードにおいては、被写体輝度が所定の輝度以下の場合に、ストロボが自動的に発光し、強制発光光モードにおいては、撮影するたびにストロボが必ず発光する。
　また、不発光モードにおいて、モード切替ボタンＳＳ１を押圧し続けると、セルフタイマーモードを経てフィルム途中巻戻しモードに切替り、モード切替ボタンＳＳ１を押圧したままレリーズボタン２を押圧することにより、フィルムの途中巻戻しが開始される。巻戻しが完了すると自動的にストロボ自動発光モードに復帰する。
　
電源
　本体１０の電池室１８には３Ｖリチウム電池８が１本収納され、ユーザーが電池蓋４１を開閉することで交換可能になっている。さらに、オートデート用として機能すると共に、主電源のバックアップ電源として機能する３Ｖのコイン電池９が１個、裏蓋４０の電池収納室４５に設けられている。
　
オートデート
　オートデートとして液晶表示のディジタル時計が制御表示部１２０に内蔵されており、裏蓋４０のＬＣＤ部飾板１３０に設けられたデート表示部１２１に「年月日」、「月日年」、「日月年」、「日時分」或いは「ＯＦＦモード」が表示され、それぞれ前記したデートモード切替ボタンＳＳ２、年月日、時分の修正箇所を選択する修正箇所選択ボタンＳＳ３、デート表示の加算を行なう加算ボタンＳＳ４を操作して調整される。
　
撮影情報表示
　裏蓋４０の撮影情報表示部１２２には、第９図に示すようにバッテリ残量表示１２２ａ、フィルムカウンタ１２２ｂ及びフィルム給送表示１２２ｃが設けられている。また、ストロボ充電中１２２ｄ及びセルフタイマモード１２２ｅ、さらに自動発光モード１２２ｆ、強制発光モード１２２ｇ、不発光モード１２２ｈが切換え表示され、いずれの表示も液晶表示である。
　
鏡胴作動機構
　第１０図は鏡胴部の断面図、第１１図は第１０図のＸＩ−ＸＩ断面図、第１２図は第１０図のＸＩＩ−ＸＩＩ断面図、第１３図は第１１図のＸＩＩＩ−ＸＩＩＩ断面図である。
　第１１図に示すようにフロント地板１７には支持枠２１が設けられ、この支持枠２１に鏡胴５１が光軸方向へ進退可能に設けられており、鏡胴５１が沈胴する。さらに、鏡胴５１には鏡胴枠２２が固定され、両者は一体になって作動する。
　鏡胴枠２２の下端に形成された支持部２２ａは軸受１５７を介して案内軸１５８にスライド可能に支持されると共に、第１２図に示すように雌ネジ軸受１５９を介して駆動軸１６０上を移動可能に支持されている。ガイド軸１５８の一端は押え板１６１に、他端はフロント地板１７に固定され、駆動軸１６０の一端はフロント地板１７に固定された押え板１６１に回動可能に支持され、他端はフロント地板１７に軸受１６２を介して回動可能に軸支され、駆動軸１６０の回転によって鏡胴枠２２が光軸方向へ直進運動をする。鏡胴枠２２の支持部２２ａにはフロント地板１７に挿通した位置規制部材１６３の先端部１６３ａが当接しており、この位置規制部材１６３はスプリング１６４を介してフロント地板１７に支持され、駆動軸１６０と鏡胴枠２２の雌ネジ軸受１５９との間のバックラッシュを吸収し、鏡胴枠２２が正確に作動するようにしている。雌ネジ軸受１５９は鏡胴枠２２の支持部２２ａに固定された押え板１６５で支持されており、この押え板１６５で雌ネジ軸受１５０が鏡胴枠２２から抜けることがないようになっている。
　駆動軸１６０には駆動ギヤ１６６が設けられ、この駆動ギヤ１６６は第１０図に示すように、中間ギヤ１６７，１６８，１６９を介してモータ１７０の出力ギヤ１７１に噛合しており、モータ１７０の駆動によって、その動力がこれらの中間ギヤ１６７，１６８，１６９を介して駆動ギヤ１６６へ伝達され、これにより駆動軸１６０を回転するようになっている。
　モータ１７０には回転羽根１７２が設けられており、この回転数をフォトカプラ１７３で検出して、鏡胴５１を光軸方向へ移動する制御情報としている。なお、フォトカプラとは、光源と受光素子を対向して配列し、光源と受光素子の間に不透明体があるか否かを検出する検出素子である。
　また、鏡胴枠２２の取付部２２ａには第１１図に示すように、作動部材１７４が設けられ、この作動部材１７４には接片１７５が設けられている。この接片１７５は第１１図及び第１３図に示すように、鏡胴５１と連動して制御基板１７６上を摺動するようになっている。この制御基板１７６はフロント地板１７の壁１７ｂに取付けられており、制御基板１７６には電源接点１７５ｂとカメラ本体側接点１７５ｃ〜１７５ｇが設けられ、鏡胴５１が光軸方向へ繰出されると、接片１７５が沈胴の停止位置Ｙ１、通常撮影の初期位置Ｙ２、通常撮影の繰出量カウント基点Ｙ３、近接撮影の初期位置Ｙ４及び近接撮影の繰出量カウント基点Ｙ５の情報を制御部に与えるようになっており、これらで撮影レンズ５０の位置を検出するスイッチを構成している。このスイッチはカメラ本体側接点１７５ｃ〜１７５ｇとの関係により、レンズポジションスイッチ或いはＡＦトリガスイッチとして機能する。この制御基板１７６は一端の突部１７６ａをフロント地板１７の凹部１７ｃに係合し、他端１７６ｂをフロント地板１７に固定した押え１６１のストッパ１７７，１７８間に係合し、光軸方向へ移動可能に支持されている。この制御基板１７６には位置調整窓１７６ｃが形成されており、この位置調整窓１７６ｃを介してアジャストボルト１７９がフロント地板１７の壁１７ｂに螺着されている。このアジャストボルト１７９の取付軸１７９ａが頭部１７９ｂの中心から偏位した位置にあり、アジャストボルト１７９の回動で制御基板１７６が光軸方向へ移動して位置の調整が行なわれる。
　この鏡胴５１の内部には第１０図に示すようにシャッター駆動機構等が配置され、レリーズボタン２の操作でモータ８０が駆動し、その動力が出力ギヤ８１から中間ギヤ８２，８３，８４，８５を介してシャッターリング８６の歯部８６ａに伝達され、シャッターリング８６を回転させ、３枚のシャッター羽根５４ｃを開閉作動させるようになっている。このそれぞれのシャッター羽根５４ｃは支持ピン８７を介して鏡胴５１に回動可能に支持され、このシャッター羽根５４ｃの基部には係合孔５４ａが形成されており、この係合孔５４ａにシャッターリング８６に固定した作動ピン８８が係合され、このシャッターリング８６の回動によってシャッター羽根５４ｃが開閉する。
　シャッターリング８６は常にその突起８６ｂが鏡胴５１側に固定されたストッパ８９ａに当接するように設定され、ストッパ８９ｂは開作動時の位置規制となっている。
　シャッター羽根５４ｃには接片５４ｂが形成されており、この接片５４ｂの作動をフォトカプラ９が検知して、シャッター制御の時間管理を行ないシャッター異常を検出する。
　
パララックス補正機構
　受光側ＡＦレンズ７１は第１０図及び第１１図に示すように、支持ピン１８０を支点としてフロント地板１７に対し撮影レンズ５０の繰出しに応じて矢印方向へ回動し、パララックス補正が可能になっている。この支持ピン１８０の一方には受光側ＡＦレンズ７１の支持部７１ａとフロント地板１７との間にバネ１８１が装着され、他方には支持部７１ｂとパララックス補正ピイン１８２との間に補正バネ１８３が装着されている。このパララックス補正ピン１８２は鏡胴５１と一体に鏡胴枠２２を光軸方向へ移動させることによって、補正バネ１８３を介して受光側ＡＦレンズ７１を押動する。受光側ＡＦレンズ７１の上部にはパララックス調整レバー１８５が取付けられ、このパララックス調整レバー１８５に受光側ＡＦレンズ７１の突起７１Ｃが当接して回動の位置規制が行なわれ、鏡胴５１が通常撮影の初期位置Ｙ２と近接撮影の初期位置Ｙ４の間を移動する間に遠近切替のパララックス補正が行なわれる。
　
撮影モード切替機構
　この実施例のカメラでは、レリーズボタン２を押圧すると、写真撮影に関する一連の動作が開始され、露光されたフィルムを１駒分巻上げて終了するが、レリーズボタン２押圧の初期ストロークでは第１レリーズスイッチＳ１がＯＮとなり、その後のストロークでは第２レリーズスイッチＳ２がＯＮとなる。第１レリーズスイッチＳ１がＯＮになると、被写体距離測定のための測距、被写体輝度測定のための測光等の撮影準備動作が行なわれ、第２レリーズスイッチＳ２がＯＮになるとシャッターの開閉、フィルムの巻上等の撮影及び撮影後の処理動作が行なわれる。
　一般カメラの撮影可能至近距離は０．６〜１．２ｍ位に設定されている例が多いが、この実施例のカメラでは、より近い距離にある被写体の撮影いわゆる近接撮影を可能にして、撮影可能距離範囲を拡大するため、通常撮影モード及び近接撮影モードを設けている。通常撮影モードでは、所定の通常撮影至近距離から無限遠まで（この範囲を通常撮影範囲という）にある被写体の撮影を可能にし、近接撮影モードでは所定の近接撮影至近距離から所定の近接撮影至遠距離まで（この範囲を近接撮影範囲という）にある被写体の撮影を可能にし、しかも通常撮影至近距離と近接撮影至遠距離を一致させて、通常撮影範囲と近接撮影範囲を連続させている。しかし、例えば近距離撮影モード、中距離撮影モード及び遠距離撮影モードの３撮影モードを設けてもよいし、超近接撮影モード、近接撮影モード及び通常撮影モードというように２つ以上の撮影モードを設けてもよい。クローズアップボタン３は撮影モード切替のためのボタンであり、鏡胴５１が通常撮影の初期位置Ｙ２にある通常撮影モードにおいて、このボタンを押圧すると、クローズアップスイッチがＯＮとなり鏡胴５１は近接撮影の初期位置Ｙ４に達して停止し、カメラは近接撮影モードに切替る。カメラが近接撮影モードになっているときに、クローズアップボタン３を押圧すると、クローズアップスイッチがＯＮとなり、鏡胴５１は後退して通常撮影の初期位置Ｙ２に達して停止し、カメラは通常撮影モードに切替る。
　鏡胴５１が沈胴の停止位置Ｙ１にあり、カメラが携帯姿勢になっているとき、メインスイッチボタン４を押圧するとメインスイッチがＯＮになり、電源が励起して後記するＭＡＩＮＣＰＵ２０１が作動を開始し、電源の励起状態を保持するパワーホールドが行なわれ、鏡胴５１は繰出されて通常撮影の初期位置Ｙ２に達して停止し、カメラは通常撮影モードとなり、パワーホールドが解除される。カメラが通常撮影モード或いは近接撮影モードにあるとき、メインスイッチボタン４を押圧するとメインスイッチがＯＮになり、前記と同様にしてパワーホールドされ、鏡胴５１は後退し、沈胴の停止位置Ｙ１に達して停止し、カメラは携帯姿勢となり、パワーホールドが解除される。なお、鏡胴５１の繰出しに連動して、撮影窓５５を覆っているレンズバリヤ１４０が開き、鏡胴５１の後退に連動してレンズバリヤ１４０が閉じて撮影窓を覆い、撮影レンズ５０を保護する構造になっている。また、カメラが携帯姿勢になっているときは、フィルムのオートロード及びフィルムの途中巻戻しを除く他の操作はできないようになっている。
　第１４図はこの発明が適用されるカメラの概略回路ブロック図である。
　このカメラにはＭＡＩＮＣＰＵ２０１とＳＵＢＣＰＵ２０２が用いられており、シリアルインタフェースで交互に情報の授受が行なわれる。ＭＡＩＮＣＰＵ２０１は大電流を要する駆動系の制御やカメラの撮影動作の制御シーケンスを実行し、ＳＵＢＣＰＵ２０２は裏蓋ユニット２０３の撮影情報表示部１２２を駆動し、またスイッチ情報をＭＡＩＮＣＰＵ２０１に与えて、ＭＡＩＮＣＰＵ２０１に種々の制御を行なわせるようにしている。
　ＤＣ−ＤＣコンバータ２０４には電源が接続されており、このＤＣ−ＤＣコンバータ２０４はメインスイッチのＯＮまたは第１レリーズスイッチＳ１のＯＮで起動するＳＵＢＣＰＵ２０２からの電源コントロールによって起動される。これによって、電圧ＶｄｄがＭＡＩＮＣＰＵ２０１に与えられ、ＭＡＩＮＣＰＵ２０１が起動する。ＤＣ−ＤＣコンバータ２０４から電圧ＶｃｃがレリーズスイッチＳ１及びＳ２、メインスイッチ、クローズアップスイッチ並びにモード切替スイッチ以外の制御用スイッチの電源、電圧Ｖｄｄが各ＣＰＵの電源として与えられ、またリチウム電池８の電圧ＶｂはＳＵＢＣＰＵ２０２及びストロボユニットの電源であり、リチウム電池８の電圧Ｖｂ′は大電流を要する駆動系の電源である。また、ストロボユニット２０５内にはＤＣ−ＤＣコンバータ２０４とは別のＤＣ−ＤＣコンバータが設けてある。
　起動したＭＡＩＮＣＰＵ２０１にはバッテリチェック情報ＢＣ、測光情報ＡＶ、モータドライバの温度補償のための温度情報ＴＨ及びシャッタの開きを補正するためのシャッタトリガ遅延時間情報ＳＴＤがアナログ情報２０６として入力される。このバッテリチェック情報ＢＣはシリアルインタフェースでＳＵＢＣＰＵ２０２にデータ転送され、ＳＵＢＣＰＵ２０２ではこの情報をバッテリ残量表示１２２ａとして表示する。さらに、ＭＡＩＮＣＰＵ２０１にはＤＸスイッチ、レンズポジションスイッチ及びＡＦトリガスイッチのスイッチ情報２０７が入力される。
　また、ＡＦユニット２０８から測距情報をアナログ信号として取り込み、この測距結果がその時点で選択されている撮影モードに応じた撮影可能距離範囲内であると、ＭＡＩＮＣＰＵ２０１によるＦ内表示コントロールでＡＦＬＥＤを点灯させ、その他に近接撮影モードの場合にはＣＵＬＥＤを点灯、さらに自動発光モードで被写体輝度が所定値以下のとき、ＬＢＬＥＤが点灯するようになっており、これらがＦ内表示２０９を構成し、ファインダー内に測距完了及び距離警告表示６４、クローズアップモード表示６５、ブリッツマーク６６としてそれぞれ表示される。また、ＡＦＬＥＤは測距した結果が、その時点で選択されている撮影モードの応じた撮影可能距離範囲外の場合に点滅し、ＬＢＬＥＤは強制発光モードのとき点灯し、不発光モードで被写体輝度が所定値以下のとき点滅する。
　ＭＡＩＮＣＰＵ２０１は、第２レリーズスイッチＳ２がＯＮになると、測距情報によってレンズモータドライバ２１０を制御するレンズモータコントロールを行ない、モータ１７０を駆動して撮影レンズ５０を繰り出し、所定の位置に停止させる。このとき、切片１７５が本体側接点１７５ｅ或いは１７５ｇと接触して出るＡＦトリガスイッチのトリガ情報と、フォトカプラ１７３によるモータ回転数情報から、撮影レンズ５０の位置制御を行なっている。撮影レンズ５０は測距情報に従って繰り出されるため、ＡＦトリガスイッチからのトリガ情報で、撮影レンズ５０の繰出し量カウント基点Ｙ３或いはＹ５（選択された撮影モードにより異なる）を検出するようになっており、このカウント基点Ｙ３或いはＹ５からモータ１７０を所定回転したときに停止する制御が行なわれる。そして、測光情報ＡＶに従って、シャッタモータドライバ２１１を制御するシャッターモータコントロールを行ない、モータ８０を駆動してシャッター５４を作動させ、フィルムに露光を与える。このとき、フォトカプラ９９でシャッター５４の開閉を検出している。
　この露光が終了すると、再びレンズモータドライバ２１０が駆動され、撮影レンズ５０を初期位置Ｙ２或いはＹ４（選択された撮影モードにより異なる）へ復帰させ、フィルムモータドライバ２１２を制御するフィルムモータコントロールを行ない、モータ１１０を駆動してフィルムを巻上げる。このとき、パーフォレーションスイッチ２１３からのスイッチ情報を読み込みながら、フィルムが１駒巻上げられたか否かの確認が行なわれる。
　ＳＵＢＣＰＵ２０からはストロボユニット２０５に充電信号が送られ、ストロボユニット２０５からは充電完了信号がＳＵＢＣＰＵ２０２に送られ、このように両者の間でＥＦコントロールが行なわれる。ストロボユニット２０５の発光コントロールはＭＡＩＮＣＰＵ２０１から行なわれて閃光管１００発光する。セルフタイマー表示ＳＬＥＤ２１４はＳＵＢＣＰＵ２０２の外部表示コントロールによって、制御される。
　ＳＵＢＣＰＵ２０２は裏蓋４０に配置されたコイン電池、ＤＣ−ＤＣコンバータ２０４からの電圧Ｖｄｄ及びリチウム電池８からの電圧Ｖｂにより、バックアップ回路２１５及びリセット回路２１６を介して駆動される。
　また、ＳＵＢＣＰＵ２０２にはレリーズスイッチ、メインスイッチ、クローズアップスイッチ、裏蓋スイッチ等のスイッチ情報２１７が入力され裏蓋ユニット２０３にはデートモジュール２１８があり、このデートモジュール２１８にはデートモードスイッチ、セレクトスイッチ、セットスイッチからのスイッチ情報２１９が入力され、デート写し込み及びデート表示のための液晶表示駆動信号を出力するＬＣＤドライブを行なう。またＳＵＢＣＰＵ２０２は裏蓋ユニット２０３に配設されたカウンタ、その他の液晶表示を駆動する信号を出力し、カウンタＬＣＤドライブをなう。
　また、裏蓋ユニット２０３にはモード切換スイッチ２２０が設けられ、手動操作でモードの切替が可能になっている。
　
制御回路作動シーケンス
　第１５図はこの発明の回路ブロックの作動シーケンスを示しており、ＭＡＩＮＣＰＵ２０１のシーケンスとＳＵＢＣＰＵ２０２のシーケンスに別れている。
　ＳＵＢＣＰＵ２０２はリセット信号ＡＣＬにより、ＩＲＳｕｂルーチンでイニシャルリセットされ、スタートから作動してＭＯＤＥ＝１判定からマイコンヘの情報入力を監視している。そして、Ｓ１＝１判定で第１レリーズスイッチＳ１がＯＮになると、フラグΦＡＬ＝１判定でフィルムオートロードのエラーを判断し、第１レリーズスイッチＳ１がＯＮでオートロードエラーであると、ＡＬＳｕｂルーチン（２）でオートロードエラーを表示して終了するようになっている。また、フラグΦＲＥＷ−ＥＮＤ＝１判定で、フィルムの巻戻しが終了していると、ＲＥＷＳｕｂルーチン（３）へ移行しフィルム巻戻し終了を表示し、第１レリーズスイッチＳ１がＯＮであっても、裏蓋を開かないと作動しなくなる。さらに、フラグΦＳＴＴ＝１判定で、シャッター異常の場合には分岐して信号を受けつけないようになっている。
　これらのフラグが立っていない場合には、ＰＨ←１でパワーホルドをかけて電源を立ち上らせ、ＭＡＩＮＣＰＵ２０１を起動する。ＭＡＩＮＣＰＵ２０１が始動すると、Ｉ／ＯＳＥＴ、ＲＡＭＣＲでＩ／ＯポートのセットやＲＡＭのクリアがされて、ＢＣＳｕｂルーチンでバッテリチェックが行なわれ、さらにＤＸＳｕｂルーチンでＤＸスイッチ情報の読み込みが行なわれる。
　このそれぞれの情報を読み込んで、Ｓｏでシリアルインタフェースを使用して、バッテリチェック情報、ＤＸスイッチ情報及びテスト情報が４ビットの情報として、ＳＵＢＣＰＵ２０２にシリアル転送され、ＢＣ表示Ｓｕｂルーチンでバッテリ残量の表示を行なう。ここで、電池８の残量が所定値以下の場合には、エラーＥとして作動を停止する。
　そして、電池８の残量が所定値を超えていると、ＳＵＢＣＰＵ２０２のＳｏで、ＭＡＩＮＣＰＵ２０１のＬＤ２Ｓｕｂルーチンに移行するためにＬＤ２Ｓｕｂ指示の情報が送られ、ＭＡＩＮＣＰＵ２０１のＳＩで分岐１判定が行なわれる。ＬＤ２Ｓｕｂルーチンに移行すると、レンズポジションを見て、フラグφＳＥＰ判定で沈胴の停止位置等が判断される。
　ＬＤ２Ｓｕｂルーチンで、レンズポジションが通常撮影の初期位置の場合には、ＭＡＩＮＣＰＵ２０１ではＳＩの分岐１判定に移行する。一方、ＳＵＢＣＰＵ２０２ではレンズポジションが通常撮影の初期位置で、フラグΦＲＥＷ＝１判定で巻戻しが終了している状態であると、ＳｏでＲＥＷＳｕｂ指示情報をＭＡＩＮＣＰＵ２０１に転送して終了する。
　Ｓｂ＝０判定で裏蓋スイッチ情報により、裏蓋が開いていると、フラグΦＡＬＢ＝１判定で、ＷＳｕｂルーチンに移行してＭＡＩＮＣＰＵ２０１のＳＩ分岐２判定へ、ＷＳｕｂ指示情報を転送する。フラグΦＣ＝０判定でカウンタがゼロの場合には、フラグΦＤＸ＝１判定で装填されているフィルムがＤＸフィルムであるか否かの判断を行ない、非ＤＸフィルムの場合にはＳｏでＭＡＩＮＣＰＵ２０１のＳＩの分岐２判定にＡＬＳｕｂ指示情報を転送して、ＳＵＢＣＰＵ２０２ではオートロード待ちの状態になり、ＭＡＩＮＣＰＵ２０１でＡＬＳｕｂルーチンによりオートロードの作動が行なわれる。
　フィルムのカウントアップがされている場合、及びカウンタがゼロでＤＸフィルムの場合には、ＬＤ２Ｓｕｂリーチンにより移送された情報の判断を行ない、ΦＳＥＰ＝１１の場合には鏡胴５１が通常撮影或いは近接撮影の初期位置にあるので撮影可能であり、ΦＳＥＰ＝００の場合には鏡胴５１が沈胴の停止位置にあるので、そのまま終了し、ΦＳＥＰ＝０１の場合には鏡胴５１が繰出されたが不定の位置で停止したため、後退して沈胴の停止位置にあるので、自動発光モードに戻して終了する。
　鏡胴５１が通常撮影或いは近接撮影の初期位置にある場合は、Ｓ１＝１判定で第１レリーズスイッチＳ１がＯＦＦになっている場合は、ＣＨＧＳｕｂルーチンでストロボメインコンデンサを充電し、ＯＮの場合にはフラグΦＴＥＳＴ＝１判定で、テストモードになっている場合にはテスト処理が行なわれ、テストモードでない場合にはＳｏでシリアルインターフェースで転送を行なう。ここで、ＭａｉｎＲｏｕｔのメインルーチン指示、フラグΦＭＯＤＥのモード情報、フラグΦＣのカウンタ情報が４ビットの情報で、ＭＡＩＮＣＰＵ２０１のＳＩの分岐２判定に転送される。
　ＳＵＢＣＰＵ２０２ではＡＦＳｕｂルーチンで待っており、ＭＡＩＮＣＰＵ２０１ではＳＩで分岐２判定を行なって、ＡＥＳｕｂルーチンへ移行すると測光の情報を読み込み、さらにＡＦＳｕｂルーチンで測距の情報を読み込み、この測汲情報をＳＵＢＣＰＵ２０２のＡＦＳｕｂルーチンへ転送する。この測距の情報はＲ［ＡＦ］或いはＲ［ＣＡＦ］であり、Ｒ［ＡＦ］は通常撮影モードの測距のＲＡＭ情報、Ｒ［ＣＡＦ］は近接撮影モード測距のＲＡＭ情報で、いずれも４ビットを２回繰り返して転送される。
　そして、ＳＵＢＣＰＵ２０２はＳ２＝１判定で、第２レリーズスイッチＳ２がＯＮされるのを待っており、またＭＡＩＮＣＰＵ２０１はＦＬＥＤＳｕｂルーチンで、測距のＡＦＬＥＤを点灯させ、また近接撮影モードの場合にはＣＵＬＥＤを点灯、自動発光モードで被写体輝度が所定値より低いとき或いは強制発光モードのときＬＢＬＥＤが点灯し、さらにＡＦＬＥＤは測距した結果が撮影可能距離範囲より近過たり、遠過る場合には点滅し、ＬＢＬＥＤは不発光モードで被写体輝度が所定値より低い場合に点滅して待っている。
　ＳＵＢＣＰＵ２０２のＳ２＝１判定で、第２レリーズスイッチＳ２がＯＮになると、Ｓｉｎ←１でＳｉｎのシリアル転送ポートが通常のロー状態をハイ状態にして、Ｓｉｎ＝１の情報をＭＡＩＮＣＰＵ２０１に送り、ＳＵＢＣＰＵ２０２は１６ｍｓ時間を待ってＳｉｎ←０にして、ＭＡＩＮＣＰＵ２０１のＦＬＥＤＳｕｂルーチンから確実にＳＩに移行するようにしており、ついでフラグΦＭＯＤＥ判定でセルフタイマーモードか否なを判断している。
　セルフタイマーモードでない場合には、ＳｏでＲ［ＳＴＤ］情報を８ビットで、ＭＡＩＮＣＰＵ２０１に転送する。このＳＴＤ情報はシャッタトリガのリレータイムフィルムの８ビット情報で、フィルムを巻上げた後で、ＷＳｕｂルーチンで情報の授受を行なっており、情報をＭＡＩＮＣＰＵ２０１のＷＳｕｂルーチで読み込んで、ＳＵＢＣＰＵ２０２へ転送し、ＳＵＢＣＰＵ２０２ではこの情報を記憶しており、この情報をＭＡＩＮＣＰＵ２０１へ出している。セルフタイマーモードの場合は、ＳＥＬＦＳｕｂルーチンに移行した上でＲ［ＳＴＤ］の転送を行なう。
　このＳＴＤ情報がＭＡＩＮＣＰＵ２０１に送られるとＳＩを抜け、ＳＵＢＣＰＵ２０２ではＳＤＳｕｂルーチンで待っており、ＭＡＩＮＣＰＵ２０１ではＩＳＯゾーン４以上か否で、ＩＳ０４００以上で、ＤＡＴＥＴ←１にするようになっており、写し込みの点灯時間の切変えを行なう。そして、ＤＡＴＥＸ←１にして、デートの写し込みの発光するための信号で、この信号を５ｍｓ出力する。この信号が出力されると、約数１０ｍｓ発光してデートの写し込みが行なわれる。
　これが終了すると、ＤＡＴＥＸ←０、ＤＡＴＥＴ←０にして初期化し、ＡＦＬＤＳｕｂルーチンで撮影レンズ５０の繰り出しを行ない、ＳＤＳｕｂルーチンでシャッター５４が開閉される。このシャッター５４の開く途中や閉じるときにシャッター５４の作動信号がこない場合には、フラグΦＳＴＴがでる。シャッターの開き過程或いは閉じ過程で故障が起こった場合にはフラグΦＳＴＴ＝１になり、この情報がＳＵＢＣＰＵ２０２に送られてトラブルの判断が行なわれる。
　異常がない場合にはフラグΦＳＴＴ＝０で送られ、ＭＡＩＮＣＰＵ２０１で、ＬＤＲＳｕｂルーチンで撮影レンズ５０を戻して、ＷＳｕｂルーチンに移行してフィルムの巻上げが行なわれる。
　ＳＵＢＣＰＵ２０２ではフラグΦＭＯＤＥでセルフタイムモードか否かの判断を行ない、セルフタイムモードでない場合はＷＳｕｂルーチンのフィルムの巻上げに移行する。セルフタイマーモードの場合はモード表示を自動発光モードにし、フラグφＭＯＤＥを自動発光モードした上で、ＷＳｕｂリーチンのフィルムの巻上げに移行する。
　前記のような作動シーケンスが行なわれるが、ＳＵＢＣＰＵ２０２において、スタートから作動して、第１レリーズスイッチＳ１が押される前に、ＭＯＤＥ＝１判定ではモードスイッチのＯＮ，ＯＦＦを判定し、ＭＯＤＥに１即ちモードスイッチがＯＮならば、フラグΦＳＴＴ＝１判定でシャッタートラブルの判断をしており、異常の場合には以降信号を受けつけない。正常の場合にはモード表示を切換え、さらにフラグΦＭＯＤＥでモード情報の切換も行ない、フラグΦＭＯＤＥでセルフタイマモードの判断を行ない、セルフタイマモードでない場合にはＭＯＤＥ＝０判定でモードスイッチが離されるのを待って、再びＭＯＤＥ＝１判定に戻る。
　セルフタイマモードの場合にはＴ←１ｓでタイマーに１秒がセットされ、ＭＯＤＥ＝１判定でモードスイッチが１秒以上ＯＮになっていると、Ｔｏｖｅｒ判定で給送表示退避をし、セルフ表示をＯＦＦし、巻戻し表示を点滅させる。そして、この点滅状態で、Ｓ２＝１判定で第２レリーズスイッチＳ２がＯＮになると、ＰＨ←１、ΦＡＬ←０として、ＭＡＩＮＣＰＵ２０１を起動させて、給送表示を復帰させ、自動発光モードにして、給送表示をＯＦＦし、ＢＣ表示Ｓｕｂルーチンでバッテリチック表示を行ない、ＳｏでＲＥＷＳｕｂ指示情報をＭＡＩＮＣＰＵ２０１ヘシリアル転送し、ＲＥＷＳｕｂルーチンでフィルムの途中手動巻戻しを行なう。
　また、第２レリーズスイッチＳ２がＯＮにならない場合には、ＭＯＤＥ＝１判定でモードスイッチがＯＦＦであると巻戻し表示がＯＦＦされ、さらに給送表示復帰が行なわれ、自動発光モード表示を行ない、フラグΦＭＯＤＥを自動発光モードにして終了する。ＭＯＤＥ＝１判定でモードスイッチがＯＮであれば、第２レリーズスイッチＳ２のＯＮを待っている。
　そして、ＳＵＢＣＰＵ２０２のＳ１＝１判定で、第１レリーズスイッチＳ１がＯＦＦの場合に、メインスイッチをＯＮにしてＳｃｎ＝１になると、沈胴切換が行なわれる。ここでは、沈胴切換フラグΦＳｃｕは０であり、ＰＨ←１にしてＭＡＩＮＣＰＵ２０１を起動する。また、クローズアップスイッチをＯＮにしてＳｃｕ＝１になると、クローズアップ沈胴切換が行なわれ、沈胴切換フラグをΦＳｃｕ←１にする。
　ＭＡＩＮＣＰＵ２０１からフラグΦＢＣ、ΦＤＸ、ΦＴＥＳＴ情報を受け、ＢＣ表示Ｓｕｂルーチンでバッテリチック表示を行ない、ＳｏのシリアルアウトでＬＤ１Ｓｕｂ指示、フラグΦＳｃｕ情報がＭＡＩＮＣＰＵ２０１へ転送される。これらの情報がＭＡＩＮＣＰＵ２０１のＳＩの分岐１判定へ送られ、ＬＤ１Ｓｕｂルーチンで鏡胴駆動を行ない、フラグΦＳＥＰ情報がＳＵＢＣＰＵ２０２へ転送されてＬＤ１Ｓｕｂルーチンで、このフラグΦＳＥＰ情報からレンズポジションをみる。フラグΦＳＥＰ＝１１の場合は、鏡胴５１は通常撮影或は近接撮影の初期位置にあり、ＣＨＧＳｕｂルーチンでストロボのコンデンサの充電が行なわれる。フラグΦＳＥＰ＝００では鏡胴５１は沈胴停止位置にあり、フラグΦＳＥＰ＝０１では鏡胴５１は繰出されたが不定の位置で停止したため、後退して沈胴の停止位置にあり、通常撮影モードが選択され、自動発光モードを表示し、フラグφＭＯＤＥを自動発光モードにして終了する。
　ＳＵＢＣＰＵ２０２のＳＢＳｕｂルーチンでは１秒間隔で裏蓋の状態を見ており、裏蓋スイッチ情報で裏蓋が開かれることを監視している。
　次に、テストモードについて説明する。このテストモードはカメラとしてのチェックを行なうもので、裏蓋のカウンタ表示を使用してテストを行なう。フラグφＴＥＳＴ＝１を判定するとテストモードにおいてＳＬＥＤ←１にすることにより、テストモードの確認をさせ、自動発光モード、強制発光モード、不発光モード及びセルフタイマモードの４種類のテストを行なう。自動発光モードでＴＥＳＴ１情報が転送され、第１レリーズスイッチＳ１がＯＮであると、測光したときのゾーン情報の表示を行ない、第２レリーズスイッチＳ２がＯＮになるとシャッターが切れ、自動露出機構のテストができ、測光情報と露出量情報の両テストが行なわれる。
　強制発光モードでＴＥＳＴ２情報が転送され、ＤＸ情報からフラシュマチックを読んでいる。ＤＸ情報のそれぞれのゾーンに対して表示を行ない、その表示情報に添って絞り値のフラッシュマチックのコントロールができるようになっている。このテストでカウンタ、給送表示をクリヤしてＳＬＥＤ←０にしてＣＨＧＳｕｂルーチンで充電を行なう。また、不発光モードでＴＥＳＴ３情報が転送され、第１レリーズスイッチＳ１でＡＦのゾーン情報を表示し、第２レリーズスイッチＳ２ではレンズの駆動を行ない、ＡＦ情報のところまで繰り出し、これにより撮影レンズの移動ストロークを知ることができる。
　セルフタイマモードでＴＥＳＴ４情報が転送され、第１レリーズスイッチＳ１でシャッターが開いたか否かのテストが行なわれる。
　これらのモードテストはモードスイッチで解除される。
　さらに、ＳＵＢＣＰＵ２０２でフラグΦＳＴＴ＝１では、記号Ｃのシーケンスに入り、転送セグメント退避させて、全セグメントを所定時間点滅させ、点灯へ復帰してＳ１＝０判定で、第１レリーズスイッチＳ１が作動するのを待って終了する。
　また、前記作動シーケンスで、記号ＤからのシーケンスはＰＨ←０でパワーホールドを切って、２００ｍｓ待ってＳ１＝０、ＭＯＤＥ＝０、Ｓｃｎ＝０、Ｓｃｕ＝０で終了する。また、記号Ｅからのシーケンスはバッテリ異常等から入り、バッテリを保護するためフラグΦＢＣ←００にして、バッテリを切って、前記と同様にしてパワーホールドを切って終了する。
　
撮影レンズ移動フローチャート
　第１６図は撮影レンズの移動の作動フローチャート、第１７図は撮影レンズの収納タイムチャートである。
　メインスイッチボタン４の操作によるメインスイッチＳＷＯＮで、パワーホールドしてバッテリチェックを行ない、ＤＸコードの読み込み、データ転送が行なわれる（ステップ１〜４）。そして、バッテリ情報からバッテリチェックが行なわれ、バッテリ残量が所定値以下の場合にはバッテリ警告を行ない、パワーホールドを解除して終了する（ステップ５〜７）。バッテリ残量が所定値を超えている場合にはバッテリ残量表示を行ない、鏡胴５１の移動時間を制限するタイマーのセットを行ない、大電流系電源Ｖｂ′のホールド信号ＰＨＭを出力して、レンズポジション信号ＳＥＰの値により、鏡胴位置を判断する（ステップ８〜１１）。
　ＳＥＰ＝１で、鏡胴５１が沈胴の停止位置にある場合には鏡胴５１を繰出し、鏡胴５１が通常撮影の初期位置に到達し、レンズポジション信号ＳＮＰが１になる前にタイマーがオーバーしたらＶｂ′電源ホールド及びパワーホールドを及びパワーホールドをＯＦＦして終わる。所定時間内にレンズポジション信号ＳＮＰが１になったらパルス数を判定するためカウンタをセットし、さらにパルスカウント時間を制限するタイマーをセットする（ステップ１５，１６）。そして、フォトカプラによるパルス状のレンズ駆動信号ＡＦＣの出力から、ＡＦＣ＝１及びＡＦＣ＝０を判断してパルス数をカウントし、設定パルス数になると（ステップ１７〜２３）、繰り出しを停止する（ステップ２４）。ついで、Ｖｂ′電源ホールドをＯＦＦし、ストロボのメインコンデンサを充電して（ステップ２５，２６）、パワーオフして終了する。所定時間内にＡＦＣ＝１或いはＡＦＣ＝０にならなかった場合も同様に、繰出しを停止する。ついでＶｂ′電源ホールドをＯＦＦし、ストロボのメインコンデンサを充電してパワーオフして終了する。
　一方、ステップ１１で、鏡胴５１がＳＥＰ＝１の沈胴の停止位置以外の位置にあるときは、鏡胴５１の沈胴を開始し、鏡胴５１が沈胴の初期位置に到達し、レンズポジション信号ＳＥＰが１になるまで撮影レンズを移動させる。レンズポジション信号ＳＥＰが所定時間内に１にならないときはＶｂ′電源ホールド及びパワーホールドをＯＦＦして終わる。レンズポジション信号ＳＥＰが所定時間内に１になると（ステップ２７〜２９）、パルス数を設定するカウンタをセットし、さらにパルスカウント時間を制限するタイマーのセットをし、レンズ駆動信号ＡＦＣの出力から、ＡＦＣ＝１またはＡＦＣ＝０を判断してパルス数をカウントし、規定パルス数になると（ステップ３０〜３８）、第１７図に示すようにモータを高速逆転させ、ついでブレーキをかけて電源を遮断して、沈胴を停止しＶｂ′電源ホールドをＯＦＦして、所定の初期モードの設定及び表示をして、パワーホールドをＯＦＦして終了する（ステップ３９〜４１）。所定時間内に、ＡＦＣ＝１或いはＡＦＣ＝０にならなかった場合は、同様にして沈胴を停止しＶｂ′電源ホールドをＯＦＦして、所定の初期モードの設定及び表示をして、パワーホールドを解除して終了する。
［発明の効果］
　前記のように、請求項１記載の発明では、撮影レンズの移動中であって、接片が複数の接点パターンのうち所定の基準位置を示す接点パターンに達した時に、撮影レンズのポジション信号を出力し、このポジション信号検知後に、所定のパルス数をカウントして撮影レンズの移動を停止させ、撮影レンズの位置情報を得るため、移動中の撮影レンズが基準位置に達したときに、ポジション信号を出力して、基準位置到達後の所定パルス数をカウントして移動を停止させ、基準位置を定め、この位置からパルスをカウントするから所定の位置に正確に停止させることができ合焦精度が向上する。また、停止位置の決定は接点パターンによるポジション信号と撮影レンズ移動により発生するパルスのカウントによって行なわれるため、パターンの位置を変更することで、簡単に撮影レンズの基準位置を変更することができる。
　請求項２記載の発明では、制御手段ではモータを有する移動手段のモータの回転で撮影レンズを移動し、このモータの回転で出力されるパルスを、位置検出手段からのポジション信号検知後所定数をカウントし、移動手段のモータを高速逆転させ、ついでブレーキをかけ電源を遮断して停止させるため、オーバラン等が生じないで正確に所定位置に停止することができる。
　請求項３記載の発明では、カメラ本体側制御基板を光軸方向に位置調整してパターンの位置を変更することで、簡単に撮影レンズの基準位置を変更することができる。
　請求項４記載の発明では、沈胴用接点パターンは沈胴用の基準位置で示す接点パターンのみからなり、撮影用接点パターンは初期位置を示す接点パターンと撮影用の基準位置を示す接点パターンとからなり、撮影レンズに設けられた接片が接点パターン上を摺動し、撮影レンズの位置制御を高精度で行うことができる。
　請求項５記載の発明では、撮影モード毎に異なった接点パターンを有するカメラ本体制御基板を備え、撮影レンズに設けられた接片がこの接点パターン上を摺動し、作動開始後の基準位置からのパルスをカウントして撮影レンズの位置制御を高精度で行うことができる。
　請求項６記載の発明では、携帯状態では鏡胴を本体に沈胴させ、撮影状態では鏡胴を繰出領域に移動させて撮影を行なうカメラで、鏡胴の光軸方向への移動中であって、接片が複数の接点パターンのうち所定の基準位置を示す接点パターンに達した時に、鏡胴のポジション信号を出力し、ポジション信号検知後に、パルス出力手段から出力される所定のパルス数をカウントして鏡胴の移動を停止させており、鏡胴の位置情報を得るため、移動中の鏡胴が基準位置に達したときに、ポジション信号を出力して、基準位置到達後の所定パルス数をカウントして移動を停止させ、基準位置を定め、この位置からパルスをカウントするから所定の位置に正確に停止させることができ合焦精度が向上する。また、停止位置の決定はカメラ本体側制御基板の設けた接点パターンによるポジション信号と撮影レンズ移動により発生するパルスのカウントによって行なわれるため、パターンの位置を変更することで、簡単に撮影レンズの基準位置を変更することができる。
【図面の簡単な説明】
　第１図はこの発明のカメラの光学系制御装置の概略構成ブロック図、第２図はレンズ位置検出手段を示す平面図、第３図は撮影レンズの移動を示す作動タイムチャート、第４図乃至第９図はこの発明が適用されるカメラを示し、第４図はカメラの正面図、第５図は同背面図、第６図は平面図、第７図は第４図のＶＩＩ−ＶＩＩ断面図、第８図はファインダの表示を示す図、第９図は裏蓋の表示を示す図、第１０図は鏡胴部の断面図、第１１図は第１０図のＸＩ−ＸＩ断面図、第１２図は第１０図のＸＩＩ−ＸＩＩ断面図、第１３図は第１１図のＸＩＩＩ−ＸＩＩＩ断面図、第１４図はこの発明が適用されるカメラの概略回路ブロック図、第１５図はこの発明の回路ブロックの作動シーケンス、第１６図は撮影レンズの移動の作動フローチャート、第１７図は撮影レンズの収納タイムチャートである。
　図中符号Ａは撮影レンズ、Ｂはレンズ移動手段、Ｃは制御手段、Ｄは測距手段、Ｅはパルス出力手段、Ｆはレンズ位置検出手段である。